(57)【特許請求の範囲】
【請求項１】
制御部と記憶部と表示部を少なくとも備えたＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデルに基づいて、当該統合ＢＩＭモデルが表す前記昇降機組込建築物内の点検対象物を点検する作業者の動線を生成する動線生成手段と、前記統合モデリング手段により作成された前記統合ＢＩＭモデルと、前記動線生成手段により生成された前記動線とを少なくとも含むレイアウト画面を生成する画面生成手段と、前記画面生成手段により生成された前記レイアウト画面を前記表示部に表示させる画面表示手段と、を備え、前記記憶部は、過去に作成された前記統合ＢＩＭモデルと、当該統合ＢＩＭモデルに対応する前記昇降機組込建築物内の前記動線と、を対応付けて履歴情報として記憶する履歴情報記憶手段、を更に備え、前記制御部は、前記統合モデリング手段により作成された前記統合ＢＩＭモデルと類似する類似物件を、前記履歴情報記憶手段に記憶された前記履歴情報から検索し、検索した当該履歴情報に基づいて、前記過去に作成された前記統合ＢＩＭモデル内の前記動線に関する注意点を示す注意情報を抽出する注意点抽出手段、を更に備え、前記画面生成手段は、前記注意点抽出手段により抽出された前記注意情報を更に含む前記レイアウト画面を生成することを特徴とするＢＩＭシステム。
【請求項２】
前記統合モデリング手段により作成された前記統合ＢＩＭモデル、および、前記動線生成手段により生成された前記動線のうち少なくとも１つに基づいて、点検条件を算出する点検条件算出手段、を更に備え、前記点検条件は、前記動線の距離、前記動線の高低差、前記点検対象物を点検する前記作業者の作業エリアの大きさ、前記動線の経路幅、前記点検対象物または動線の周辺の温度、および、前記点検対象物または動線の周辺の湿度のうち少なくとも１つを含み、前記画面生成手段は、前記点検条件算出手段により算出された前記点検条件を更に含む前記レイアウト画面を生成することを特徴とする請求項１に記載のＢＩＭシステム。
【請求項３】
前記記憶部は、前記ＢＩＭモデル内で移動可能なヒトオブジェクトに関するオブジェクト情報を記憶するオブジェクト情報記憶手段、を更に備え、前記制御部は、前記画面表示手段により表示された前記レイアウト画面上で、前記オブジェクト情報記憶手段に記憶された前記オブジェクト情報に基づいて、前記動線生成手段により生成された前記動線上での前記ヒトオブジェクトの移動をシミュレーションする解析手段、を更に備えたことを特徴とする請求項１または２に記載のＢＩＭシステム。
【請求項４】
前記解析手段は、前記作業者の特徴を示す作業者条件に基づいて前記ヒトオブジェクトを変化させた状態で、前記動線上での前記ヒトオブジェクトの移動をシミュレーションすることを特徴とする請求項３に記載のＢＩＭシステム。
【請求項５】
前記作業者条件は、前記作業者の身長、前記作業者の体重、前記作業者の利き腕、前記作業者の体勢、前記作業者が持ち運ぶ用品の重量、および、前記用品の寸法のうち少なくとも１つを含み、前記画面生成手段は、前記作業者条件を更に含む前記レイアウト画面を生成することを特徴とする請求項４に記載のＢＩＭシステム。
【請求項６】
前記制御部は、前記注意点抽出手段により抽出された前記注意情報に基づいて、前記動線生成手段により生成された前記動線を最適化する動線最適化手段、を更に備え、前記画面生成手段は、前記統合モデリング手段により作成された前記統合ＢＩＭモデルと、前記動線最適化手段により最適化された前記動線とを少なくとも含む前記レイアウト画面を生成することを特徴とする請求項１に記載のＢＩＭシステム。
【請求項７】
制御部と記憶部とを少なくとも備えたサーバ装置、および、制御部と記憶部と表示部とを少なくとも備えた端末装置、を通信可能に接続したＢＩＭシステムであって、前記サーバ装置の前記記憶部は、建築物のＢＩＭモデルに組込可能な昇降機のＢＩＭパーツを作成するためのパーツ情報を記憶するパーツ情報記憶手段、を備え、前記サーバ装置の前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置の前記記憶部は、前記ＢＩＭモデルを記憶するＢＩＭモデル記憶手段、を備え、前記端末装置の前記制御部は、前記情報提供手段により前記サーバ装置から送信された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデルに基づいて、当該統合ＢＩＭモデルが表す前記昇降機組込建築物内の点検対象物を点検する作業者の動線を生成する動線生成手段と、前記統合モデリング手段により作成された前記統合ＢＩＭモデルと、前記動線生成手段により生成された前記動線とを少なくとも含むレイアウト画面を生成する画面生成手段と、前記画面生成手段により生成された前記レイアウト画面を前記表示部に表示させる画面表示手段と、を備え、前記端末装置の前記記憶部は、過去に作成された前記統合ＢＩＭモデルと、当該統合ＢＩＭモデルに対応する前記昇降機組込建築物内の前記動線と、を対応付けて履歴情報として記憶する履歴情報記憶手段、を更に備え、前記端末装置の前記制御部は、前記統合モデリング手段により作成された前記統合ＢＩＭモデルと類似する類似物件を、前記履歴情報記憶手段に記憶された前記履歴情報から検索し、検索した当該履歴情報に基づいて、前記過去に作成された前記統合ＢＩＭモデル内の前記動線に関する注意点を示す注意情報を抽出する注意点抽出手段、を更に備え、前記画面生成手段は、前記注意点抽出手段により抽出された前記注意情報を更に含む前記レイアウト画面を生成することを特徴とするＢＩＭシステム。
【請求項８】
制御部と記憶部とを少なくとも備えたサーバ装置、および、制御部と記憶部と表示部とを少なくとも備えた端末装置、を通信可能に接続したＢＩＭシステムにおいて実行される方法であって、前記サーバ装置の前記記憶部は、建築物のＢＩＭモデルに組込可能な昇降機のＢＩＭパーツを作成するためのパーツ情報を記憶するパーツ情報記憶手段、を備え、前記端末装置の前記記憶部は、前記ＢＩＭモデルを記憶するＢＩＭモデル記憶手段、を備え、前記サーバ装置の前記制御部において実行される、前記端末装置から送信される作成条件に対応する前記ＢＩＭパーツを、前記パーツ情報記憶手段に記憶された前記パーツ情報を用いて作成する昇降機モデリングステップと、前記サーバ装置の前記制御部において実行される、前記昇降機モデリングステップにて作成された前記ＢＩＭパーツを前記端末装置へ送信する情報提供ステップと、前記端末装置の前記制御部において実行される、前記情報提供ステップにて前記サーバ装置から送信された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記端末装置の前記制御部において実行される、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記端末装置の前記制御部において実行される、前記統合モデリングステップにて作成された前記統合ＢＩＭモデルと、前記動線生成ステップにて生成された前記動線とを少なくとも含むレイアウト画面を生成する画面生成ステップと、前記端末装置の前記制御部において実行される、前記画面生成ステップにて生成された前記レイアウト画面を前記表示部に表示させる画面表示ステップと、を含み、前記端末装置の前記記憶部は、過去に作成された前記統合ＢＩＭモデルと、当該統合ＢＩＭモデルに対応する前記昇降機組込建築物内の前記動線と、を対応付けて履歴情報として記憶する履歴情報記憶手段、を更に備え、前記方法は、前記端末装置の前記制御部において実行される、前記統合モデリングステップにて作成された前記統合ＢＩＭモデルと類似する類似物件を、前記履歴情報記憶手段に記憶された前記履歴情報から検索し、検索した当該履歴情報に基づいて、前記過去に作成された前記統合ＢＩＭモデル内の前記動線に関する注意点を示す注意情報を抽出する注意点抽出ステップ、を更に含み、前記画面生成において、前記注意点抽出ステップにて抽出された前記注意情報を更に含む前記レイアウト画面が生成されることを特徴とする方法。
【発明の詳細な説明】
【技術分野】
【０００１】
本発明の実施形態は、ＢＩＭシステム及び方法に関する。
【背景技術】
【０００２】
従来、昇降機メーカの担当者は、昇降機を備える建築物を設計する客先に対して、平面図や断面図等の二次元図面及びカタログや納入実績等の写真を使用して、昇降機の設備計画を提案していた。そこで、近年、昇降機の設備計画を提案する際、建築物に昇降機を組み込んだ状態を視覚的に分かりやすく表示する技術が求められていた。
【先行技術文献】
【特許文献】
【０００３】
【特許文献１】特開２０１０−２６２５８０号公報
【発明の概要】
【発明が解決しようとする課題】
【０００４】
本実施形態が解決しようとする課題は、昇降機の設備計画を提案する際、建築物に昇降機を組み込んだ状態を視覚的に分かりやすく表示することができるＢＩＭシステム及び方法を提供することである。
【課題を解決するための手段】
【０００５】
実施形態のＢＩＭシステムは、制御部と記憶部と表示部を少なくとも備える。前記記憶部は、ＢＩＭモデル記憶手段と、パーツ情報記憶手段と、を備える。前記ＢＩＭモデル記憶手段は、建築物のＢＩＭモデルを記憶する。前記パーツ情報記憶手段は、前記ＢＩＭモデルに組込可能な昇降機のＢＩＭパーツを作成するためのパーツ情報を記憶する。前記制御部は、昇降機モデリング手段と、統合モデリング手段と、動線生成手段と、画面生成手段と、画面表示手段と、を備える。前記昇降機モデリング手段は、利用者により入力される作成条件に対応する前記ＢＩＭパーツを、前記パーツ情報記憶手段に記憶された前記パーツ情報を用いて作成する。前記統合モデリング手段は、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する。前記動線生成手段は、前記統合モデリング手段により作成された前記統合ＢＩＭモデルに基づいて、当該統合ＢＩＭモデルが表す前記昇降機組込建築物内の点検対象物を点検する作業者の動線を生成する。前記画面生成手段は、前記統合モデリング手段により作成された前記統合ＢＩＭモデルと、前記動線生成手段により生成された前記動線とを少なくとも含むレイアウト画面を生成する。前記画面表示手段は、前記画面生成手段により生成された前記レイアウト画面を前記表示部に表示させる。前記記憶部は、過去に作成された前記統合ＢＩＭモデルと、当該統合ＢＩＭモデルに対応する前記昇降機組込建築物内の前記動線と、を対応付けて履歴情報として記憶する履歴情報記憶手段、を更に備える。前記制御部は、前記統合モデリング手段により作成された前記統合ＢＩＭモデルと類似する類似物件を、前記履歴情報記憶手段に記憶された前記履歴情報から検索し、検索した当該履歴情報に基づいて、前記過去に作成された前記統合ＢＩＭモデル内の前記動線に関する注意点を示す注意情報を抽出する注意点抽出手段、を更に備える。前記画面生成手段は、前記注意点抽出手段により抽出された前記注意情報を更に含む前記レイアウト画面を生成する。
【図面の簡単な説明】
【０００６】
【図１】図１は、建築物の設計図書及びＢＩＭモデルの一例を示す概念図である。
【図２】図２は、第１の実施形態におけるＢＩＭシステムの構成の一例を示すブロック図である。
【図３】図３は、昇降機のＢＩＭパーツの一例を示す図である。
【図４】図４は、昇降機のＢＩＭパーツを建築物のＢＩＭモデルに組み込んだ状態の昇降機組込建築物に対応する統合ＢＩＭモデルの一例を示す図である。
【図５】図５は、統合ＢＩＭモデルと点検対象物を点検する作業者の動線とを少なくとも含むレイアウト画面の一例を示す図である。
【図６】図６は、第１の実施形態におけるＢＩＭシステムの処理の一例を示すフローチャートである。
【図７】図７は、第２の実施形態におけるＢＩＭシステムの構成の一例を示すブロック図である。
【図８】図８は、第２の実施形態におけるＢＩＭシステムの処理の一例を示すフローチャートである。
【図９】図９は、第３の実施形態におけるＢＩＭシステムの構成の一例を示すブロック図である。
【図１０】図１０は、第３の実施形態におけるＢＩＭシステムの一例を示すフローチャートである。
【発明を実施するための形態】
【０００７】
以下に、実施形態にかかるＢＩＭシステム、サーバ装置、端末装置、方法及びプログラムの実施の形態を図面に基づいて詳細に説明する。なお、この実施の形態によりこの発明が限定されるものではない。
【０００８】
ここで、図１を参照して、実施形態において利用されるＢＩＭ（ビルディングインフォーメーションモデル）の概要について説明する。図１は、建築物の設計図書及びＢＩＭモデルの一例を示す概念図である。図１では、建築物の設計図書による設計方法とＢＩＭによる設計方法との違いを表している。図１の左側に示すように、建築物の設計図書による設計方法では、建築物の設計に関わる各業種が個々に専門図面を作成しているため、各々が関連性及び整合性を各々とる必要がある。つまり、建築物の設計図書による設計方法では、例えば関連する設計図書の修正が必要となり、また、その整合性のチェックも必要となる。一方、図１の右側に示すＢＩＭによる設計方法では、各業種にて建物全体のデータである建築物の３次元モデル（すなわち、建築物のＢＩＭモデル）を共有することができるので、１個のデータ上で関連性及び整合性の確認を行うことができる。以下の実施形態では、このＢＩＭを使用した昇降機客先提案システムについて説明する。
【０００９】
以下、実施形態の構成及び処理について、第１の実施形態（ＢＩＭシステム）、第２の実施形態（サーバ装置（サーバ主導型））、第３の実施形態（機能集中型のシステム（スタンドアロン型のＢＩＭ装置））の順にて詳細に説明する。
【００１０】
［第１の実施形態］
最初に、第１の実施形態（ＢＩＭシステム）について、図２乃至図６を参照して以下に説明する。なお、第１の実施形態で例示するＢＩＭシステムにおけるサーバ側と端末側の機能分散の形態は以下に限られず、同様の効果や機能を奏し得る範囲において、任意の単位で機能的または物理的に分散・統合して構成することができる。
【００１１】
［第１の実施形態におけるＢＩＭシステムの構成］
まず、第１の実施形態におけるＢＩＭシステムの構成の一例について、図２を参照して以下に説明する。図２は、第１の実施形態におけるＢＩＭシステムの構成の一例を示すブロック図であり、該構成のうち主要な部分を概念的に示している。なお、本実施形態においては、通信型のＢＩＭシステムを具体例として説明するが、これに限ることなく、スタンドアロン型のＢＩＭシステムなどにも適用可能である。
【００１２】
図２に示すように、第１の実施形態のＢＩＭシステムは、概略的に、昇降機の３次元モデル（すなわち、昇降機のＢＩＭパーツ）等の情報を提供できるサーバ装置２００、及び、単数または複数のＢＩＭアプリケーション等を搭載した端末装置１００、を通信可能に接続して構成される。ここで、図２に示すように、通信には、一例として、ネットワーク３００を介した有線・無線通信等の遠隔通信等を含む。また、これらＢＩＭシステムの各部は任意の通信路を介して通信可能に接続されている。
【００１３】
図２に示すように、第１の実施形態のＢＩＭシステムにおいて、サーバ装置２００は、概略的に、制御部２０２と記憶部２０６とを少なくとも備えている。端末装置１００は、出力部（表示部１１４及び音声出力部１１６）と入力部１１８と制御部１０２と記憶部１０６とを少なくとも備える。
【００１４】
［サーバ装置２００の構成］
ここで、図２において、サーバ装置２００は、端末装置１００から送信される作成条件に対応する建築物のＢＩＭモデルに組込可能な昇降機のＢＩＭパーツを、記憶部２０６に記憶されたパーツ情報を用いて作成する機能を有する。そして、サーバ装置２００は、作成されたＢＩＭパーツを端末装置１００へ送信する等の機能を有する。サーバ装置２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、サーバ装置２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（パーツ情報データベース２０６ａ等）を格納する。
【００１５】
これら記憶部２０６の各構成要素のうち、パーツ情報記憶手段としてのパーツ情報データベース２０６ａは、建築物のＢＩＭモデルに組込可能な昇降機のＢＩＭパーツを作成するためのパーツ情報を記憶する。本実施形態において、昇降機は、エレベータ及び乗客コンベアを含む概念であり、乗客コンベアは、エスカレータ及び動く歩道を含む。ここで、パーツ情報は、利用者が建築物のＢＩＭモデルに組み込む昇降機のＢＩＭパーツを設計する上で必要となるあらゆる情報を含む。パーツ情報としては、例えば、用途、定員、積載量、動作速度、色、機種等といった昇降機の仕様、昇降機を建築物に設置する際に必要とされるスペース、寸法、各種付属設備、各種配線配管に関する情報などのうちの少なくとも１つを含む。さらに、パーツ情報としては、例えば、昇降機を構成する必要部材の部材強度、価格、寸法、質量、色、素材、材料、固有振動数といった情報の他、納期、在庫状況、据付時間、仕上げ材、耐用年数、メーカ情報、品番型番などのうちの少なくとも１つを含んでもよい。なお、パーツ情報は、上記に限定されない。
【００１６】
より具体的には、本実施形態において、パーツ情報は、例えば、制御部１０２によりＢＩＭパーツをＢＩＭモデルに組み込む際等に参照されるＢＩＭパーツのサイズ情報を含む。ここで、ＢＩＭパーツのサイズ情報は、ＢＩＭパーツを構成する各ユニット、構成部品のサイズ情報も含む。ＢＩＭパーツを構成する各ユニットとしては、例えば、本実施形態のように昇降機がエレベータである場合には、昇降路、乗りかご、カウンタウェイト、メインロープ、巻上機、ガイドレール、乗り場ホール関連品、機械室、制御盤、電源設備、各種配線配管等が挙げられる。また、ＢＩＭパーツを構成する各ユニットとしては、例えば、昇降機がエスカレータである場合には、トラス、踏段、踏段チェーン、移動手摺、乗降板、欄干、駆動装置、機械室、制御盤、電源設備、各種配線配管等が挙げられる。また、パーツ情報は、例えば、制御部１０２によりＢＩＭパーツを変更する際に用いられる設定パラメータを含む。ここで、設定パラメータは、ＢＩＭパーツを構成する各ユニットのサイズ、色、材質、上記各種配線配管等を規定するパラメータを含む。また、パーツ情報は、予め利用者により指定された点検対象物であることを示す情報も含む。これにより、後述の制御部１０２は、パーツ情報からどの部材が点検対象物であるかを特定することができる。これらのパーツ情報は、例えば、制御部１０２の処理により点検対象物を点検する作業者の動線を生成する際、各種点検条件を算出する際、動線に関する注意点を示す注意情報を抽出する際、動線を最適化する際等に参照される。なお、ＢＩＭパーツは、典型的なＢＩＭモデルと同様に、このＢＩＭパーツ自体に対象の昇降機に関連するパーツ情報等の属性情報を含んでいる。
【００１７】
また、制御部２０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、及び、情報提供部２０２ｃ、を備える。
【００１８】
このうち、作成条件受信部２０２ａは、端末装置１００から送信される作成条件を受信する作成条件受信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、例えば、機種、色、素材、希望の価格、納期、利用者の嗜好性等のうちの少なくとも１つを含んでもよい。また、作成条件は、例えば、昇降機を設置する建築物の概要、設置位置等、後述するＢＩＭモデルデータベース１０６ａに格納されている建築物のＢＩＭモデルの構造情報を含んでもよい。また、作成条件は、利用者により端末装置１００において入力部１１８を介して入力されたものであってもよいし、予め作成条件が記憶された外部記憶装置（図示せず）から読み込まれたものであってもよい。
【００１９】
また、昇降機モデリング部２０２ｂは、作成条件受信部２０２ａにより受信された作成条件に対応する昇降機のＢＩＭパーツを、パーツ情報データベース２０６ａに記憶されたパーツ情報を用いて作成する昇降機モデリング手段である。昇降機モデリング部２０２ｂは、例えば、図３に示すようなエレベータの３次元のＢＩＭパーツを作成する。ここで、図３は、昇降機のＢＩＭパーツの一例を示す図である。図３の左側は、昇降路、乗りかご、ガイドレール等のユニットから構成されるＢＩＭパーツであり、図３の右側は、乗り場ホーム関連品の一例として、乗降口のドアのユニット等から構成されるＢＩＭパーツである。昇降機モデリング部２０２ｂは、利用者が後述のレイアウト画面で確認しながら選択可能なように、作成条件を満たす複数の昇降機のＢＩＭパーツを作成してもよい。昇降機モデリング部２０２ｂは、例えば、作成条件受信部２０２ａにより受信された作成条件に基づいた後述のＢＩＭモデルの構造情報等に基づいて、建築物の概要、規模、設置位置、電源設備容量等から当該建築物に設置可能な昇降機のＢＩＭパーツを単数あるいは複数作成する。また、昇降機モデリング部２０２ｂは、作成条件受信部２０２ａにより受信された作成条件に基づいた納期、価格、あるいは、嗜好性に応じてＢＩＭパーツを自動的に最適化して作成するようにしてもよい。例えば、昇降機モデリング部２０２ｂは、利用者によって昇降機の設置に際し納期優先の選択がなされている場合には、設置可能な昇降機のＢＩＭパーツのうち納期が早いものから順に自動で複数作成するようにしてもよい。同様に、昇降機モデリング部２０２ｂは、利用者によって価格優先の選択がなされている場合には、設置可能な複数の昇降機のＢＩＭパーツのうち価格が安いものから順に自動で複数作成するようにしてもよい。昇降機モデリング部２０２ｂは、利用者によって利用者の嗜好性が設定されている場合には、設置可能な複数の昇降機のＢＩＭパーツのうち嗜好性にあったものから順に自動で複数作成するようにしてもよい。昇降機モデリング部２０２ｂは、作成した昇降機のＢＩＭパーツを記憶部２０６に格納して、ＢＩＭパーツデータベース（図示せず）を構築してもよい。
【００２０】
また、情報提供部２０２ｃは、昇降機モデリング部２０２ｂにより作成された昇降機のＢＩＭパーツを端末装置１００へ送信する情報提供手段である。ここで、情報提供部２０２ｃは、複数のＢＩＭパーツを含む計算結果を端末装置１００へ送信してもよい。
【００２１】
［端末装置１００の構成］
また、図２において、端末装置１００は、サーバ装置２００から送信された昇降機のＢＩＭパーツを、記憶部１０６に記憶された建築物のＢＩＭモデルに組み込んだ状態の昇降機組込建築物に対応する統合ＢＩＭモデルを作成する機能を有する。また、端末装置１００は、作成された統合ＢＩＭモデルに基づいて、当該統合ＢＩＭモデルが表す昇降機組込建築物内の点検対象物を点検する作業者の動線を生成する機能を有する。そして、端末装置１００は、作成された統合ＢＩＭモデルおよび生成された動線を少なくとも含むレイアウト画面を生成し、生成されたレイアウト画面を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、及びＰＤＡ等の携帯端末装置等である。ここで、端末装置１００は、インターネットブラウザ等を搭載していてもよく、ＢＩＭアプリケーション等を搭載していてもよい。また、端末装置１００は、表示部１１４と音声出力部１１６とを少なくとも含む出力部を備えていてもよい。また、端末装置１００は、データ入力等を行う入力部１１８を備えていてもよい。
【００２２】
ここで、表示部１１４は、アプリケーション等の表示画面を表示する表示手段（例えば、液晶または有機ＥＬ等から構成されるディスプレイ、モニタ、及び、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、及び、ゲームパッド等）、マウス、キーボード、及び、マイク等であってもよい。また、入出力制御インターフェース部１０８は、表示部１１４、音声出力部１１６、及び、入力部１１８等の制御を行う。
【００２３】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、サーバ装置２００等と通信回線を介してデータを通信する機能を有している。また、ネットワーク３００は、端末装置１００及びサーバ装置２００と、外部機器または外部システムとを相互に接続する機能を有し、例えば、インターネット、電話回線網（携帯端末回線網及び一般電話回線網等）、イントラネット、または、電力線通信（ＰＬＣ）等であってもよい。
【００２４】
また、記憶部１０６は、ＨＤＤやＳＳＤ等の大容量のストレージ手段、及び／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段である。記憶部１０６は、各種のデータベースやファイルやテーブル、ＢＩＭモデルデータベース１０６ａ、オブジェクト情報データベース１０６ｂ、履歴情報データベース１０６ｃ等）を格納してもよい。ここで、記憶部１０６は、各種のファイル等を一時的に記憶するものであってもよい。
【００２５】
ＢＩＭモデルデータベース１０６ａは、建築物のＢＩＭモデルを記憶するＢＩＭモデル記憶手段である。本実施形態において、ＢＩＭモデルデータベース１０６ａには、予め設計者により設計された建築物のＢＩＭモデルが格納されている。ここで、ＢＩＭモデルには、例えば、建物形状、空間関係、地理情報、建物部材の数量や特性、部材強度、固有振動数、耐用年数、各種付属設備、各種配線配管等の情報のうちの少なくとも１つを含む構造情報が含まれるが、これに限定されない。この他、構造情報は、建物用途、建物規模、階床数、階床名、階高、各階の使用用途、フロア人員、占有面積等から算出可能な昇降機の利用人数などの情報を含んでいてもよい。更に、構造情報は、対象の建築物を構成する各構造ユニットに関する寸法、位置等を示す情報を含んでいてもよい。ここで、ＢＩＭモデルを構成する各構造ユニットとしては、例えば、建築物に配置される部屋、壁、通路、非常階段、避難経路、ガス管、水道管、火災報知機、スプリンクラー、梁、安全対策品等が挙げられる。また、構造情報は、予め利用者により指定された点検対象物であることを示す情報も含む。これにより、後述の制御部１０２は、構造情報からどの部材が点検対象物であるかを特定することができる。これらの構造情報は、例えば、制御部１０２の処理により点検対象物を点検する作業者の動線を生成する際、各種点検条件を算出する際、動線に関する注意点を示す注意情報を抽出する際、動線を最適化する際等に参照される。
【００２６】
オブジェクト情報データベース１０６ｂは、建築物のＢＩＭモデル内で移動可能なヒトオブジェクトや環境に影響を及ぼす各種の環境オブジェクトに関するオブジェクト情報を記憶するオブジェクト情報記憶手段である。例えば、ヒトオブジェクトに関するオブジェクト情報は、所定条件に従って移動可能なヒトを模した３次元モデルを定義する情報である。ヒトオブジェクトに関するオブジェクト情報は、ヒトを模した３次元モデルを構築するための形状データの他、例えば、各ヒトオブジェクトについて出発地と目的地と少なくとも含む移動条件等を含む。また、例えば、環境オブジェクトに関するオブジェクト情報は、昇降機が設置される建築物の内外の環境を定義する情報であり、各種静的な環境条件、動的な環境条件等の情報を含む。また、環境オブジェクトに関するオブジェクト情報は、建築物の内外の環境に影響を及ぼす物体の３次元モデルを構築するための形状データ等を含んでもよい。オブジェクト情報は、外部記憶装置（図示せず）から読み込まれたものであってもよいし、入力部１１８を介して入力されたものであってもよいし、ネットワーク３００を介して取得されたものであってもよい。本実施形態において、上述のヒトオブジェクトに関するオブジェクト情報は、例えば、制御部１０２の処理により動線上でのヒトオブジェクトの移動をシミュレーションする際等に参照される。上述の環境オブジェクトに関するオブジェクト情報は、例えば、制御部１０２の処理により点検条件を算出する際等に参照される。
【００２７】
履歴情報データベース１０６ｃは、過去に作成された統合ＢＩＭモデルと、当該統合ＢＩＭモデルに対応する昇降機組込建築物内の動線と、を対応付けて履歴情報として記憶する履歴情報記憶手段である。履歴情報は、制御部１０２の処理により、統合ＢＩＭモデルが作成され、当該統合ＢＩＭモデルに基づいて動線が生成された際に、格納されて蓄積される。更に、履歴情報は、動線に関する注意点を示す注意情報を含んでいてもよい。この注意情報は、利用者がレイアウト画面上で動線を確認した際に手入力された情報であってもよいし、統合ＢＩＭモデルに対応する動線上でヒトオブジェクトを移動させるシミュレーション結果や点検対象物に関する点検条件の算出結果等に基づいて自動取得された情報であってもよい。本実施形態において、上述の履歴情報は、例えば、制御部１０２の処理により動線に関する注意点を示す注意情報を抽出する際等に参照される。
【００２８】
また、制御部１０２は、ＯＳ（Ｏｐｅｒａｔｉｎｇ  Ｓｙｓｔｅｍ）等の制御プログラムや、各種の処理手順等を規定したプログラム、及び、所要データを格納するための内部メモリを有する。そして、制御部１０２は、これらのプログラム等により、種々の処理を実行するための情報処理を行う。制御部１０２は、機能概念的に、作成条件送信部１０２ａ、統合モデリング部１０２ｂ、動線生成部１０２ｃ、画面生成部１０２ｄ、画面表示部１０２ｅ、点検条件算出部１０２ｆ、解析部１０２ｇ、注意点抽出部１０２ｈ、動線最適化部１０２ｉを備える。
【００２９】
このうち、作成条件送信部１０２ａは、利用者により入力される作成条件をサーバ装置２００へ送信する作成条件送信手段である。ここで、作成条件は、利用者が所望する昇降機の仕様を示す条件である。つまり、作成条件は、建築物のＢＩＭモデルに組込可能な昇降機のＢＩＭパーツを作成するための条件を指定する。作成条件は、利用者により入力部１１８を介して入力されたものであってもよいし、予め作成条件が記憶された外部記憶装置（図示せず）から読み込まれたものであってもよい。
【００３０】
また、統合モデリング部１０２ｂは、サーバ装置２００から送信された昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する統合モデリング手段である。本実施形態において、制御部１０２は、図４に示すような統合モデリング部１０２ｂにより作成された統合ＢＩＭモデルを、後述の動線生成部１０２ｃにより生成される動線と対応付けて、履歴情報として履歴情報データベース１０６ｃに格納するものとする。ここで、図４は、昇降機のＢＩＭパーツを建築物のＢＩＭモデルに組み込んだ状態の昇降機組込建築物に対応する統合ＢＩＭモデルの一例を示す図である。図４では、昇降機組込建築物の完成時におけるエレベータの設置状態を示す統合ＢＩＭモデルの一部が示されている。
【００３１】
また、動線生成部１０２ｃは、統合モデリング部１０２ｂにより作成された統合ＢＩＭモデルに基づいて、当該統合ＢＩＭモデルが表す昇降機組込建築物内の点検対象物を点検する作業者の動線を生成する動線生成手段である。具体的には、動線生成部１０２ｃは、統合ＢＩＭモデルを構成する、建築物のＢＩＭモデルの構造情報及び昇降機ＢＩＭパーツのパーツ情報に含まれるサイズ情報等（必要に応じて、作業者の特徴を示す作業者条件も参照する）に基づいて、昇降機組込建築物内の空間関係（例えば、点検対象物を点検する作業者が作業可能な空間や作業者が通過可能な空間の寸法等）を把握した上で、例えば、図５に示すような統合ＢＩＭモデル内で指定された点検口から点検対象物まで作業者が移動可能な動線を生成する。図５は、統合ＢＩＭモデルと点検対象物を点検する作業者の動線とを少なくとも含むレイアウト画面の一例を示す図である。図５は、後述の画面生成部１０２ｄにより作成されたレイアウト画面である。図５の当該レイアウト画面の左側の領域には、統合ＢＩＭモデルの一部が表示されており、統合ＢＩＭモデル内で指定された点検対象物と点検口との間の動線は太字で示されている。ここで、動線生成部１０２ｃは、動線の候補を単数、又は、複数で生成することもできる。なお、図５のレイアウト画面に含まれる他の情報については後述する。
【００３２】
本実施形態において、点検対象物は、予め利用者に指定された点検すべき部材を意味する。例えば、点検対象物は、保守点検の対象として法規で定められたものであってもよいし、消耗品等であってもよい。なお、点検対象物は、建築物のＢＩＭモデルに含まれる構造情報または昇降機のＢＩＭパーツに含まれるパーツ情報に予め設定されているものとする。つまり、点検対象物は、構造情報により特定される建築物を構築する部材であってもよいし、パーツ情報より特定される昇降機を構築する部材のどちらであってもよい。
【００３３】
また、画面生成部１０２ｄは、統合モデリング部１０２ｂにより作成された統合ＢＩＭモデルと、動線生成部１０２ｃにより生成された動線とを少なくとも含むレイアウト画面を生成する画面生成手段である。
【００３４】
ここで、画面生成部１０２ｄは、後述の点検条件算出部１０２ｆにより算出された点検条件を更に含むレイアウト画面を生成してもよい。本実施形態において、点検条件は、例えば、動線の距離、動線の高低差、点検対象物を点検する作業者の作業エリアの大きさ、動線の経路幅、点検対象物または動線の周辺の温度、および、点検対象物または動線の周辺の湿度のうち少なくとも１つを含むが、上記に限定されない。画面生成部１０２ｄは、例えば、図５のレイアウト画面の右側の下部に示すように、点検条件として、動線の高低差（図５において、「高低差：１０ｍ」）、動線の距離（図５において、「総工程：１８ｍ」）、動線の経路幅（図５において、「最小幅：２５ｃｍ」）、点検対象物の周辺の温度（図５において、「温度：２０℃」）、点検対象物の周辺の湿度（図５において、「湿度：７０％」）を更に含むレイアウト画面を生成してもよい。
【００３５】
また、画面生成部１０２ｄは、作業者条件を更に含むレイアウト画面を生成してもよい。本実施形態において、作業者条件は、利用者により予め指定された点検対象物を点検する作業者の特徴を示す条件である。作業者条件は、例えば、作業者の身長、作業者の体重、作業者の利き腕、作業者の体勢、作業者が持ち運ぶ用品の重量、および、用品の寸法のうち少なくとも１つを含むが、上記に限定されない。画面生成部１０２ｄは、例えば、図５のレイアウト画面の右側の中央部に示すように、作業者条件として、作業者の身長（図５において、「身長：１７０ｃｍ」）、作業者の体重（図５において、「体重：６０ｋｇ」）、作業者が持ち運ぶ用品の重量（図５において、「携帯重量：１５ｋｇ」）、用品の寸法（図５において、「サイズ：４５ｃｍ×３０ｃｍ×１０ｃｍ」）を更に含むレイアウト画面を生成してもよい。また、画面生成部１０２ｄは、作業者条件に対応する作業者を模式的に表したヒトオブジェクトを、図５の画面左側に示すように、動線上の任意の位置に表示させたレイアウト画面を生成してもよい。本実施形態において、レイアウト画面上のヒトオブジェクトは、後述の解析部１０２ｇによりヒトオブジェクトを移動させるシミュレーションの際に動線上を移動可能なオブジェクトである。
【００３６】
また、画面生成部１０２ｄは、後述の注意点抽出部１０２ｈにより抽出された動線に関する注意点を示す注意情報を更に含むレイアウト画面を生成してもよい。本実施形態において、注意情報は、利用者がレイアウト画面上で動線を確認した際に手入力された情報であってもよいし、統合ＢＩＭモデルに対応する動線上でヒトオブジェクトを移動させるシミュレーション結果や点検対象物に関する点検条件の算出結果等に基づいて自動取得された情報であってもよい。画面生成部１０２ｄは、例えば、図５のレイアウト画面の右側の上部に示すように、注意情報として、「最小幅２５ｃｍの箇所あり」、「点検対象物は梯子上部の右手側」、「湿度はやや高め」等といった、作業者が動線上を移動して点検対象物を点検する際に点検作業がしにくい要因となり得る注意点を含むレイアウト画面を生成してもよい。
【００３７】
また、画面生成部１０２ｄは、統合モデリング部１０２ｂより作成された統合ＢＩＭモデルと、後述の動線最適化部１０２ｉにより最適化された動線とを少なくとも含むレイアウト画面を生成してもよい。
【００３８】
また、画面表示部１０２ｅは、画面生成部１０２ｄにより生成されたレイアウト画面を表示部１１４に表示させる画面表示手段である。画面表示部１０２ｅは、例えば、上述の図５に示すような、エレベータのＢＩＭパーツを建築物のＢＩＭモデルに組み込んだ３次元の統合ＢＩＭモデルと、当該統合ＢＩＭモデルに対応する昇降機組込建築物内の点検対象物を点検する作業者の動線と、を少なくとも含むレイアウト画面を表示部１１４に表示させる。
【００３９】
また、点検条件算出部１０２ｆは、統合モデリング部１０２ｂにより作成された統合ＢＩＭモデル、および、動線生成部１０２ｃにより生成された動線のうち少なくとも１つ（必要に応じて、オブジェクト情報データベース１０６ｂに記憶された環境オブジェクトに関するオブジェクト情報も参照する）に基づいて、点検条件を算出する点検条件算出手段である。例えば、点検条件算出部１０２ｆは、動線生成部１０２ｃにより生成された動線の長さ、位置、大きさに基づいて、動線の距離、動線の高低差、動線の経路幅を算出する。また、点検条件算出部１０２ｆは、統合モデリング部１０２ｂにより作成された統合ＢＩＭモデルに含まれる点検対象物と、動線生成部１０２ｃにより生成された動線と、の位置関係に基づいて、点検対象物を点検する作業者の作業エリアの大きさを算出する。
【００４０】
また、点検条件算出部１０２ｆは、統合モデリング部１０２ｂにより作成された統合ＢＩＭモデルに含まれるＢＩＭモデルの構造情報とＢＩＭパーツのパーツ情報に基づいて、統合ＢＩＭモデルに対応する昇降機組込建築物内の点検対象物周辺の所定条件下における温度または湿度を、基準温度または基準湿度からシミュレーションすることで算出する。ここで、点検条件算出部１０２ｆは、必要に応じて、オブジェクト情報データベース１０６ｂに記憶された環境オブジェクトに関するオブジェクト情報を参照し、基準温度または基準湿度を調整した上で、昇降機組込建築物内の点検対象物周辺の条件下における温度または湿度を算出してもよい。
【００４１】
また、点検条件算出部１０２ｆは、統合モデリング部１０２ｂにより作成された統合ＢＩＭモデルに含まれるＢＩＭモデルの構造情報とＢＩＭパーツのパーツ情報、および、動線生成部１０２ｃにより生成された動線に基づいて、統合ＢＩＭモデルに対応する昇降機組込建築物内に設定された動線周辺の所定条件下における温度または湿度を、基準温度または基準湿度からシミュレーションすることで算出する。ここで、点検条件算出部１０２ｆは、必要に応じて、オブジェクト情報データベース１０６ｂに記憶された環境オブジェクトに関するオブジェクト情報を参照し、基準温度または基準湿度を調整した上で、昇降機組込建築物内に設定された動線周辺の所定条件下における温度または湿度を算出してもよい。
【００４２】
また、解析部１０２ｇは、画面表示部１０２ｅにより表示された、上述の図５に示すようなレイアウト画面上で、オブジェクト情報データベース１０６ｂに記憶されたヒトオブジェクトに関するオブジェクト情報に基づいて、動線生成部１０２ｃにより生成された動線上でのヒトオブジェクトの移動をシミュレーションする解析手段である。ここで、解析部１０２ｇは、作業者の特徴を示す作業者条件に基づいてヒトオブジェクトを変化させた状態で、動線上でのヒトオブジェクトの移動をシミュレーションしてもよい。この場合、解析部１０２ｇは、まず、作業者条件の内容（例えば、作業者の身長、体重、利き腕、体勢の他、作業者が持ち運ぶ用品の重量や寸法等の条件）に応じて、作業者の特徴を模式的に示すヒトオブジェクトの表示形態を変化させる。そして、解析部１０２ｇは、この表示形態を変化させてヒトオブジェクトを動線上で移動させることで、異なる作業者が動線上を移動した場合を想定したシミュレーションを行う。
【００４３】
また、注意点抽出部１０２ｈは、統合モデリング部１０２ｂにより作成された統合ＢＩＭモデルと類似する類似物件を、履歴情報データベース１０６ｃに記憶された履歴情報から検索し、検索した当該履歴情報に基づいて、過去に作成された統合ＢＩＭモデル内の動線に関する注意点を示す注意情報を抽出する注意点抽出手段である。ここで、新たに作成した統合ＢＩＭモデルと、過去に作成された統合ＢＩＭモデルとが、類似する場合、作業者は同様の動線を移動して点検対象物を点検することとなるため、過去に作成された統合ＢＩＭモデルにおいて見出された動線に関する注意点も同様のものになる可能性が高い。そこで、本実施形態において、注意点抽出部１０２ｈは、履歴情報データベース１０６ｃに記憶された履歴情報がある場合は、履歴情報から、過去に作成された統合ＢＩＭモデル内の動線に関する注意点を示す注意情報を抽出する。
【００４４】
また、動線最適化部１０２ｉは、注意点抽出部１０２ｈにより抽出された注意情報に基づいて、動線生成部１０２ｃにより生成された動線を最適化する動線最適化手段である。例えば、動線最適化部１０２ｉは、動線生成部１０２ｃにより生成された複数の動線の候補から、注意点抽出部１０２ｈにより抽出された注意情報が示す注意点を回避可能な動線を選択することで、動線生成部１０２ｃにより生成された動線を最適化してもよい。この他、動線最適化部１０２ｉは、回避可能な動線の候補が存在しない場合は、動線生成部１０２ｃにより生成された動線が注意点を回避可能な動線となるように、昇降機組込建築物側のＢＩＭモデルまたはＢＩＭパーツを変更する条件を算出してもよい。
【００４５】
本実施形態において、制御部１０２は、画面表示部１０２ｅにより表示されたレイアウト画面上でＢＩＭモデル、又は、ＢＩＭパーツを変更する変更手段を備えていてもよい。具体的には、また、変更手段は、利用者により入力される変更条件に応じて、ＢＩＭモデルデータベース１０６ａに記憶されているＢＩＭモデルに含まれる構造情報を変更することで、建築物のＢＩＭパーツを変更する。また、変更手段は、利用者により入力される変更条件に応じてＢＩＭパーツに含まれるパーツ情報の上記設定パラメータを変更することで、昇降機のＢＩＭパーツを変更する。この場合、上記画面生成部１０２ｄは、変更部１０２ｆにより変更されたＢＩＭモデル、又は、ＢＩＭパーツを含むレイアウト画面、すなわち、変更されたＢＩＭモデル、又は、ＢＩＭパーツが反映された統合ＢＩＭモデルを含むレイアウト画面を生成する。画面表示部１０２ｅは、変更手段により変更されたＢＩＭモデル、又は、ＢＩＭパーツが反映された統合ＢＩＭモデルを含むレイアウト画面を表示部１１４に表示させる。これにより、このＢＩＭシステムは、利用者等による設計変更等を即座にＢＩＭモデル、ＢＩＭパーツ等に反映させ、表示部１１４に表示されている統合ＢＩＭモデルに反映させることができる。
【００４６】
以上で、第１の実施形態におけるＢＩＭシステムの構成の一例の説明を終える。
【００４７】
［第１の実施形態におけるＢＩＭシステムの処理］
次に、このように構成された第１の実施形態におけるＢＩＭシステムの処理の一例について、以下に図６を参照して詳細に説明する。図６は、第１の実施形態におけるＢＩＭシステムの処理の一例を示すフローチャートである。
【００４８】
図６に示すように、端末装置１００の作成条件送信部１０２ａは、利用者により入力される作成条件をサーバ装置２００へ送信する（ステップＳＡ−１）。
【００４９】
そして、サーバ装置２００の作成条件受信部２０２ａは、ステップＳＡ−１にて作成条件送信部１０２ａの処理により送信される作成条件を受信する（ステップＳＡ−２）。
【００５０】
そして、サーバ装置２００の昇降機モデリング部２０２ｂは、ステップＳＡ−２にて作成条件受信部２０２ａの処理により受信された作成条件に対応する昇降機のＢＩＭパーツを、パーツ情報データベース２０６ａに記憶されたパーツ情報を用いて作成する（ステップＳＡ−３）。例えば、昇降機モデリング部２０２ｂは、図３に示すようなエレベータのＢＩＭパーツを作成する。ここで、ステップＳＡ−３において、昇降機モデリング部２０２ｂは、作成条件を満たす複数の昇降機のＢＩＭパーツを作成してもよい。
【００５１】
そして、サーバ装置２００の情報提供部２０２ｃは、ステップＳＡ−３にて昇降機モデリング部２０２ｂの処理により作成された昇降機のＢＩＭパーツを端末装置１００へ送信する（ステップＳＡ−４）。
【００５２】
そして、端末装置１００の制御部１０２は、ステップＳＡ−４にて情報提供部２０２ｃの処理により送信された昇降機のＢＩＭパーツを受信する（ステップＳＡ−５）。
【００５３】
そして、端末装置１００の統合モデリング部１０２ｂは、ステップＳＡ−５にて制御部１０２の処理により受信された単数または複数の昇降機のＢＩＭパーツを、ＢＩＭモデルデータベース１０６ａに記憶された建築物のＢＩＭモデルに組み込んだ状態の昇降機組込建築物に対応する統合ＢＩＭモデルを作成する（ステップＳＡ−６）。例えば、統合モデリング部１０２ｂは、図４に示すような、エレベータのＢＩＭパーツが建築物のＢＩＭモデルに組み込まれた状態の昇降機組込建築物に対応する統合ＢＩＭモデルを作成する。
【００５４】
そして、端末装置１００の動線生成部１０２ｃは、ステップＳＡ−６にて統合モデリング部１０２ｂの処理により作成された統合ＢＩＭモデルに基づいて、当該統合ＢＩＭモデルが表す昇降機組込建築物内の点検対象物を点検する作業者の動線を生成する（ステップＳＡ−７）。例えば、動線生成部１０２ｃは、図５の画面左側に示すような統合ＢＩＭモデル内で指定された点検口から点検対象物まで作業者が移動可能な動線を生成する。ステップＳＡ−７において、動線生成部１０２ｃは、動線の候補を単数、又は、複数で生成することもできる。
【００５５】
そして、端末装置１００の点検条件算出部１０２ｆは、ステップＳＡ−６にて統合モデリング部１０２ｂの処理により作成された統合ＢＩＭモデル、および、ステップＳＡ−７にて動線生成部１０２ｃの処理により生成された動線のうち少なくとも１つに基づいて、点検条件を算出する（ステップＳＡ−８）。例えば、点検条件算出部１０２ｆは、図５の画面右側下部に示すような各種点検条件（図５において、「高低差：１０ｍ」、「総工程：１８ｍ」、「最小幅：２５ｃｍ」、「温度：２０℃」、「湿度：７０％」等の点検条件）を生成する。
【００５６】
そして、端末装置１００の制御部１０２は、履歴情報データベース１０６ｃに記憶された履歴情報を検索して、ステップＳＡ−６にて統合モデリング部１０２ｂの処理により作成された統合ＢＩＭモデルと類似する類似物件があるか否かを判定することで、対応する履歴情報があるか否かを判定する（ステップＳＡ−９）。
【００５７】
そして、端末装置１００の注意点抽出部１０２ｈは、ステップＳＡ−９にて制御部１０２の処理により対応する履歴情報があると判定された場合（ステップＳＡ−９：Ｙｅｓ）、検索した対応する履歴情報に基づいて、過去に作成された統合ＢＩＭモデル内の動線に関する注意点を示す注意情報を抽出する（ステップＳＡ−１０）。例えば、注意点抽出部１０２ｈは、図５の画面右側上部に示すような各種注意情報（図５において、「最小幅２５ｃｍの箇所あり」、「点検対象物は梯子上部の右手側」、「湿度はやや高め」等の注意点を示す注意情報）を生成する。
【００５８】
そして、端末装置１００の動線最適化部１０２ｉは、ステップＳＡ−１０にて注意点抽出部１０２ｈの処理により抽出された注意情報に基づいて、ステップＳＡ−７にて動線生成部１０２ｃの処理により生成された動線を最適化する（ステップＳＡ−１１）。例えば、動線最適化部１０２ｉは、ステップＳＡ−７にて動線生成部１０２ｃの処理により生成された複数の動線の候補から、ステップＳＡ−１０にて注意点抽出部１０２ｈの処理により抽出された注意情報（例えば、「最小幅２５ｃｍの箇所あり」）が示す注意点を回避可能な、経路幅が広い動線を選択することで、ステップＳＡ−７にて動線生成部１０２ｃの処理により生成された動線を最適化する。その後、ステップＳＡ−１２の処理へ移行する。
【００５９】
ここで、ステップＳＡ−９にて制御部１０２の処理により対応する履歴情報がないと判定された場合（ステップＳＡ−９：Ｎｏ）は、上述のステップＳＡ−１０およびステップＳＡ−１１の処理を実行せずに（すなわち、注意情報の抽出、動線の最適化を実行せずに）、ステップＳＡ−１２の処理へ移行する。
【００６０】
そして、端末装置１００の画面生成部１０２ｄは、ステップＳＡ−９にて対応する履歴情報があると判定されて（ステップＳＡ−９：Ｙｅｓ）、ステップＳＡ−１０にて注意情報を抽出し、ステップＳＡ−１１にて動線の最適化を実行した場合は、以下に示すようなレイアウト画面を生成する（ステップＳＡ−１２）。この場合、画面生成部１０２ｄは、ステップＳＡ−６にて統合モデリング部１０２ｂの処理より作成された統合ＢＩＭモデルと、ステップＳＡ−８にて点検条件算出部１０２ｆの処理に算出された点検条件と、ステップＳＡ−１０にて注意点抽出部１０２ｈの処理にて抽出された動線に関する注意点を示す注意情報と、ステップＳＡ−１１にて動線最適化部１０２ｉの処理により最適化された動線と、を含むレイアウト画面を生成する。その後、ステップＳＡ−１３の処理へ移行する。
【００６１】
また、ステップＳＡ−１２において、画面生成部１０２ｄは、ステップＳＡ−９にて対応する履歴情報がないと判定されて（ステップＳＡ−９：Ｎｏ）、ステップＳＡ−１０にて注意情報を抽出せず、ステップＳＡ−１１にて動線の最適化を実行しなかった場合は、以下に示すようなレイアウト画面を生成する。この場合、画面生成部１０２ｄは、ステップＳＡ−６にて統合モデリング部１０２ｂの処理より作成された統合ＢＩＭモデルと、ステップＳＡ−７にて動線生成部１０２ｃの処理により生成された動線と、ステップＳＡ−８にて点検条件算出部１０２ｆの処理に算出された点検条件とを含むレイアウト画面を生成する。その後、ステップＳＡ−１３の処理へ移行する。
【００６２】
そして、端末装置１００の画面表示部１０２ｅは、ステップＳＡ−１２にて画面生成部１０２ｄの処理により生成されたレイアウト画面を表示部１１４に表示させる（ステップＳＡ−１３）。
【００６３】
そして、端末装置１００の制御部１０２は、ヒトオブジェクトの移動解析を行う際に参照される、点検対象物を点検する作業者の特徴を示す作業者条件の入力があるか否かを判定する（ステップＳＡ−１４）。ここで、作業者条件は、例えば入力部１１８を介して利用者により入力される。
【００６４】
そして、端末装置１００の解析部１０２ｇは、ステップＳＡ−１４にて制御部１０２の処理により作業者条件の入力があると判定された場合（ステップＳＡ−１４：Ｙｅｓ）、ステップＳＡ−１３にて画面表示部１０２ｅの処理により表示されたレイアウト画面上で、オブジェクト情報データベース１０６ｂに記憶されたヒトオブジェクトに関するオブジェクト情報に基づいて、ステップＳＡ−７にて動線生成部１０２ｃの処理により生成された動線（または、ステップＳＡ−１１にて動線最適化部１０２ｉの処理により最適化された動線）上でのヒトオブジェクトの移動をシミュレーションする（ステップＳＡ−１５）。ステップＳＡ−１５において、解析部１０２ｇは、作業者の特徴を示す作業者条件に基づいてヒトオブジェクトを変化させた状態で、動線上でのヒトオブジェクトの移動をシミュレーションする。
【００６５】
本実施形態において、ステップＳＡ−１５にて解析部１０２ｇの処理によりヒトオブジェクトの移動解析を行った場合、更に、ステップＳＡ−１５において、画面生成部１０２ｄは、図５の画面右側中央部に示すように、各種作業者条件（図５において、「身長：１７０ｃｍ」、「体重：６０ｋｇ」、「携帯重量：１５ｋｇ」、「サイズ：４５ｃｍ×３０ｃｍ×１０ｃｍ」等の作業者条件）を更に含むレイアウト画面を生成する。そして、ステップＳＡ−１５において、画面表示部１０２ｅは、作業者条件を更に含むレイアウト画面を表示部１１４に表示させるものとする。その後、ステップＳＡ−１６の処理へ移行する。
【００６６】
ここで、ステップＳＡ−１４にて制御部１０２の処理により作業者条件の入力がないと判定された場合（ステップＳＡ−１４：Ｎｏ）は、上述のステップＳＡ−１５の処理を実行せずに（すなわち、ヒトオブジェクトの移動解析を実行せずに）、ステップＳＡ−１６の処理へ移行する。
【００６７】
そして、端末装置１００の制御部１０２は、利用者の入力に応じて変更があるか否かを判定する（ステップＳＡ−１６）。
【００６８】
端末装置１００の制御部１０２は、ステップＳＡ−１６での処理により変更があると判定した場合（ステップＳＡ−１６：Ｙｅｓ）、処理をステップＳＡ−１に移行させる。端末装置１００の制御部１０２は、ステップＳＡ−１６での処理により変更がないと判定された場合（ステップＳＡ−１６：Ｎｏ）、この処理を終了する。
【００６９】
以上で、第１の実施形態におけるＢＩＭシステムの処理の一例の説明を終える。
【００７０】
ここで、オーダー物件を設計する際は、設計担当者が物件仕様にあわせて、点検保守時の安全性を検討することになっているが、従来は、設計担当者が設計図等の資料を用いて２次元で点検保守時の安全性検討を行っていたため、立体的な安全判断が難しく、また、点検時の作業内容や動線など明確な理解が困難であり、十分な検討が出来ているとは言えない状態であった。一方、本実施形態によれば、作成条件を満たす昇降機のＢＩＭパーツを建築物のＢＩＭモデルに組み込んだ状態の昇降機組込建築物に対応する統合ＢＩＭモデルを作成し、統合ＢＩＭモデル内に各点検作業の動線を明確に表示することで、動線上に点検安全性の面で問題が存在しないかを設計時において検討することが可能になる。例えば、点検作業者が作業開始から終了までどのような経路を通り、かつ、その間の作業の安全性についても検討することができる。加えて、作業ルートの距離、高低差、作業エリアの大きさ、経路幅、温度、湿度等を表示して、数値的に安全性を確認するための検討材料とすることもできる。このように、本実施形態によれば、各点検項目へのルートを画面上に表示させ、点検作業動線を視覚的に分かり易く表現することができるので、保守点検作業時の安全確認を容易に行うことが可能となる。
【００７１】
また、本実施形態によれば、レイアウト画面上の統合ＢＩＭモデル内で点検作業者に対応するヒトオブジェクトを動作させ、感覚的に問題の有無が無いか否かを確認しやすくすることができる。このとき、作業者の身体的特徴（身長、体重、利き腕、作業体勢等）を入力することで、より正確に点検作業時における作業者の安全性を確認することができる。また、作業者の持ち運び用品の重量や寸法についても考慮した上で、より一層正確に点検作業時における作業者の安全性を確認することもできる。
【００７２】
更に、本実施形態によれば、類似物件をデータベースから検索し、過去の実績、注意点などから最適なシミュレーションが行えるようにすることもできる。例えば、過去の類似物件を検索し、この類似物件に基づく点検作業時の経路や問題点を把握した上で、対象の新規物件における点検作業時の最適経路を表示することができる。更に、点検作業時の注意点を事前に把握することも可能になる。
【００７３】
なお、以上で説明した端末装置１００の制御部１０２は、点検条件算出部１０２ｆ、解析部１０２ｇ、注意点抽出部１０２ｈ、動線最適化部１０２ｉを備えない構成であってもよい。また、図６で例示したＢＩＭシステムの処理は、ステップＳＡ−８〜ステップＳＡ−１１、ステップＳＡ−１４〜ステップＳＡ−１６等を含まない構成であってもよい。
【００７４】
［第２の実施形態］
続いて、第２の実施形態について、図７および図８を参照して以下に説明する。なお、以下の第２の実施形態（サーバ主導型）の説明では、上述した実施形態と共通する構成、作用、効果については、重複した説明はできるだけ省略する。ここで、図７は、第２の実施形態におけるＢＩＭシステムの構成の一例を示すブロック図であり、該構成のうち本実施形態に関係する部分を概念的に示している。
【００７５】
なお、第２の実施形態においては、サーバ装置２００側で作成条件に対応する昇降機のＢＩＭパーツを建築物のＢＩＭモデルに組み込んだ状態の昇降機組込建築物に対応する統合ＢＩＭモデルを作成する。また、サーバ装置２００側で統合ＢＩＭモデルに基づいて、当該統合ＢＩＭモデルが表す昇降機組込建築物内の点検対象物を点検する作業者の動線を生成する。そして、サーバ装置２００から端末装置１００へ統合ＢＩＭモデルと動線を少なくとも含むレイアウト画面を送信して、当該端末装置１００の表示部１１４に表示させるように制御している。このように、第２の実施形態は、サーバ装置２００にてサーバ主導で処理を行う点が、その他の実施形態と異なる。
【００７６】
［第２の実施形態におけるＢＩＭシステムの構成］
まず、第２の実施形態におけるＢＩＭシステムの構成の一例について、図７を参照して以下に説明する。
【００７７】
図７に示すように、第２の実施形態のサーバ装置２００は、出力部（表示部１１４および音声出力部１１６）と入力部１１８と制御部１０２と記憶部１０６とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これらサーバ装置２００および端末装置１００の各部は任意の通信路を介して通信可能に接続されている。
【００７８】
図７において、サーバ装置２００は、端末装置１００から送信される作成条件に対応するＢＩＭパーツを作成し、ＢＩＭパーツをＢＩＭモデルに組み込んだ状態の昇降機組込建築物に対応する統合ＢＩＭモデルを作成する等の機能を有する。また、サーバ装置２００は、統合ＢＩＭモデルに基づいて、当該統合ＢＩＭモデルが表す昇降機組込建築物内の点検対象物を点検する作業者の動線を生成する等の機能を有する。また、サーバ装置２００は、作成された統合ＢＩＭモデルと、生成された動線とを少なくとも含むレイアウト画面を生成する等の機能を有する。また、サーバ装置２００は、生成されたレイアウト画面を端末装置１００へ送信して、当該レイアウト画面を表示部１１４に表示させるように制御する等の機能を有する。
【００７９】
なお、サーバ装置２００における通信制御インターフェース部２０４および記憶部２０６（パーツ情報データベース２０６ａ、オブジェクト情報データベース２０６ｃ、履歴情報データベース２０６ｄ等）の機能、また、端末装置１００における表示部１１４、音声出力部１１６、および、入力部１１８の機能は、第１の実施形態と同様であるため説明を省略する。なお、記憶部２０６のうち、ＢＩＭモデルファイル２０６ｂには、端末装置１００側の記憶部１０６のＢＩＭモデルデータベース１０６ａに記憶された複数の建築物のＢＩＭモデルのうち、対象の建築物のＢＩＭモデルが予めサーバ装置２００側へ転送されて一時的に記憶されているものとする。
【００８０】
図７において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、作成条件受信部２０２ａ、昇降機モデリング部２０２ｂ、統合モデリング部２０２ｄ、動線生成部２０２ｅ、画面生成部２０２ｆ、画面表示制御部２０２ｇ、点検条件算出部２０２ｈ、解析部２０２ｉ、注意点抽出部２０２ｊ、動線最適化部２０２ｋを備える。
【００８１】
なお、第２の実施形態における制御部２０２のうち、作成条件受信部２０２ａ、昇降機モデリング部２０２ｂ、動線生成部２０２ｅ、画面生成部２０２ｆ、点検条件算出部２０２ｈ、解析部２０２ｉ、注意点抽出部２０２ｊ、動線最適化部２０２ｋについては、上述の第１の実施形態において説明した対応する各部の機能と実質的に同様であるため、これらの説明を省略する。
【００８２】
このうち、統合モデリング部２０２ｄは、サーバ装置２００側で昇降機モデリング部２０２ｂにより作成された昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する統合モデリング手段である。
【００８３】
また、画面表示制御部２０２ｇは、画面生成部２０２ｆにより生成されたレイアウト画面を端末装置１００へ送信して、当該レイアウト画面を端末装置１００の表示部１１４に表示させるように制御する画面表示制御手段である。画面表示制御部２０２ｇは、例えば、上述の図５に示すような、エレベータのＢＩＭパーツを建築物のＢＩＭモデルに組み込んだ３次元の統合ＢＩＭモデルと、当該統合ＢＩＭモデルに対応する昇降機組込建築物内の点検対象物を点検する作業者の動線と、を少なくとも含むレイアウト画面を端末装置１００へ送信して、当該レイアウト画面を端末装置１００の表示部１１４に表示させるように制御する。
【００８４】
なお、図７では、ＢＩＭモデルデータベース１０６ａが端末装置１００側の記憶部１０６に備えられた例を説明したが、これに限定されない。図示しないが、ＢＩＭモデルデータベース１０６ａは、サーバ装置２００側の記憶部２０６側に備えられていてもよく、また、ネットワーク３００を介して通信可能に接続されたデータベースサーバとして外部装置の記憶部側に備えられていてもよい。
【００８５】
以上で、第２の実施形態におけるＢＩＭシステムの構成の一例の説明を終える。
【００８６】
［第２の実施形態におけるＢＩＭシステムの処理］
次に、このように構成された第２の実施形態におけるＢＩＭシステムの処理の一例について、以下に図８を参照して詳細に説明する。図８は、第２の実施形態におけるＢＩＭシステムの処理の一例を示すフローチャートである。
【００８７】
図８に示すように、端末装置１００の制御部１０２は、利用者により入力される作成条件をサーバ装置２００へ送信する（ステップＳＢ−１）。
【００８８】
そして、サーバ装置２００の作成条件受信部２０２ａは、ステップＳＢ−１にて制御部１０２の処理により送信される作成条件を受信する（ステップＳＢ−２）。
【００８９】
そして、サーバ装置２００の昇降機モデリング部２０２ｂは、ステップＳＢ−２にて作成条件受信部２０２ａの処理により受信された作成条件に対応する昇降機のＢＩＭパーツを、パーツ情報データベース２０６ａに記憶されたパーツ情報を用いて作成する（ステップＳＢ−３）。例えば、昇降機モデリング部２０２ｂは、図３に示すようなエレベータのＢＩＭパーツを作成する。ここで、ステップＳＢ−３において、昇降機モデリング部２０２ｂは、作成条件を満たす複数の昇降機のＢＩＭパーツを作成してもよい。
【００９０】
そして、サーバ装置２００の統合モデリング部２０２ｄは、ステップＳＢ−３にて昇降機モデリング部２０２ｂの処理により作成された単数または複数の昇降機のＢＩＭパーツを、ＢＩＭモデルファイル２０６ｂに記憶された建築物のＢＩＭモデルに組み込んだ状態の昇降機組込建築物に対応する統合ＢＩＭモデルを作成する（ステップＳＢ−４）。例えば、統合モデリング部２０２ｄは、図４に示すような、エレベータのＢＩＭパーツが建築物のＢＩＭモデルに組み込まれた状態の昇降機組込建築物に対応する統合ＢＩＭモデルを作成する。
【００９１】
そして、サーバ装置２００の動線生成部２０２ｅは、ステップＳＢ−４にて統合モデリング部２０２ｄの処理により作成された統合ＢＩＭモデルに基づいて、当該統合ＢＩＭモデルが表す昇降機組込建築物内の点検対象物を点検する作業者の動線を生成する（ステップＳＢ−５）。例えば、動線生成部２０２ｅは、図５の画面左側に示すような統合ＢＩＭモデル内で指定された点検口から点検対象物まで作業者が移動可能な動線を生成する。ステップＳＢ−５において、動線生成部２０２ｅは、動線の候補を単数、又は、複数で生成することもできる。
【００９２】
そして、サーバ装置２００の点検条件算出部２０２ｈは、ステップＳＢ−５にて統合モデリング部２０２ｄの処理により作成された統合ＢＩＭモデル、および、ステップＳＢ−５にて動線生成部２０２ｅの処理により生成された動線のうち少なくとも１つに基づいて、点検条件を算出する（ステップＳＢ−６）。例えば、点検条件算出部２０２ｈは、図５の画面右側下部に示すような各種点検条件（図５において、「高低差：１０ｍ」、「総工程：１８ｍ」、「最小幅：２５ｃｍ」、「温度：２０℃」、「湿度：７０％」等の点検条件）を生成する。
【００９３】
そして、サーバ装置２００の制御部２０２は、履歴情報データベース２０６ｄに記憶された履歴情報を検索して、ステップＳＢ−４にて統合モデリング部２０２ｄの処理により作成された統合ＢＩＭモデルと類似する類似物件があるか否かを判定することで、対応する履歴情報があるか否かを判定する（ステップＳＢ−７）。
【００９４】
そして、サーバ装置２００の注意点抽出部２０２ｊは、ステップＳＢ−７にて制御部２０２の処理により対応する履歴情報があると判定された場合（ステップＳＢ−７：Ｙｅｓ）、検索した対応する履歴情報に基づいて、過去に作成された統合ＢＩＭモデル内の動線に関する注意点を示す注意情報を抽出する（ステップＳＢ−８）。例えば、注意点抽出部２０２ｊは、図５の画面右側上部に示すような各種注意情報（図５において、「最小幅２５ｃｍの箇所あり」、「点検対象物は梯子上部の右手側」、「湿度はやや高め」等の注意点を示す注意情報）を生成する。
【００９５】
そして、サーバ装置２００の動線最適化部２０２ｋは、ステップＳＢ−８にて注意点抽出部２０２ｊの処理により抽出された注意情報に基づいて、ステップＳＢ−５にて動線生成部２０２ｅの処理により生成された動線を最適化する（ステップＳＢ−９）。例えば、動線最適化部２０２ｋは、ステップＳＢ−５にて動線生成部２０２ｅの処理により生成された複数の動線の候補から、ステップＳＢ−８にて注意点抽出部２０２ｊの処理により抽出された注意情報（例えば、「最小幅２５ｃｍの箇所あり」）が示す注意点を回避可能な、経路幅が広い動線を選択することで、ステップＳＢ−５にて動線生成部２０２ｅの処理により生成された動線を最適化する。その後、ステップＳＢ−１０の処理へ移行する。
【００９６】
ここで、ステップＳＢ−７にて制御部２０２の処理により対応する履歴情報がないと判定された場合（ステップＳＢ−７：Ｎｏ）は、上述のステップＳＢ−８およびステップＳＢ−９の処理を実行せずに（すなわち、注意情報の抽出、動線の最適化を実行せずに）、ステップＳＢ−１０の処理へ移行する。
【００９７】
そして、サーバ装置２００の画面生成部２０２ｆは、ステップＳＢ−７にて対応する履歴情報があると判定されて（ステップＳＢ−７：Ｙｅｓ）、ステップＳＢ−８にて注意情報を抽出し、ステップＳＢ−９にて動線の最適化を実行した場合は、以下に示すようなレイアウト画面を生成する（ステップＳＢ−１０）。この場合、画面生成部２０２ｆは、ステップＳＢ−４にて統合モデリング部２０２ｄの処理より作成された統合ＢＩＭモデルと、ステップＳＢ−６にて点検条件算出部２０２ｈの処理に算出された点検条件と、ステップＳＢ−８にて注意点抽出部２０２ｊの処理にて抽出された動線に関する注意点を示す注意情報と、ステップＳＢ−９にて動線最適化部２０２ｋの処理により最適化された動線と、を含むレイアウト画面を生成する。その後、ステップＳＢ−１１の処理へ移行する。
【００９８】
また、ステップＳＢ−１０において、画面生成部２０２ｆは、ステップＳＢ−７にて対応する履歴情報がないと判定されて（ステップＳＢ−７：Ｎｏ）、ステップＳＢ−８にて注意情報を抽出せず、ステップＳＢ−９にて動線の最適化を実行しなかった場合は、以下に示すようなレイアウト画面を生成する。この場合、画面生成部２０２ｆは、ステップＳＢ−４にて統合モデリング部２０２ｄの処理より作成された統合ＢＩＭモデルと、ステップＳＢ−５にて動線生成部２０２ｅの処理により生成された動線と、ステップＳＢ−６にて点検条件算出部２０２ｈの処理に算出された点検条件とを含むレイアウト画面を生成する。その後、ステップＳＢ−１１の処理へ移行する。
【００９９】
そして、サーバ装置２００の画面表示制御部２０２ｇは、ステップＳＢ−１０にて画面生成部２０２ｆの処理により生成されたレイアウト画面を端末装置１００へ送信して（ステップＳＢ−１１）、当該レイアウト画面を端末装置１００の表示部１１４に表示させるように制御する（ステップＳＢ−１２）。
【０１００】
そして、端末装置１００の制御部１０２は、ヒトオブジェクトの移動解析を行う際に参照される、点検対象物を点検する作業者の特徴を示す作業者条件の入力があるか否かを判定する（ステップＳＢ−１３）。ここで、作業者条件は、例えば入力部１１８を介して利用者により入力される。
【０１０１】
そして、サーバ装置２００の制御部２０２は、ステップＳＢ−１３にて制御部１０２の処理により作業者条件の入力があると判定された場合（ステップＳＢ−１３：Ｙｅｓ）に端末装置１００からサーバ装置２００へ送信される作業者条件を受信したか否かを判定する（ステップＳＢ−１４）。
【０１０２】
そして、サーバ装置２００の解析部２０２ｉは、ステップＳＢ−１４にて制御部２０２の処理により作業者条件の受信ありと判定した場合（ステップＳＢ−１４：Ｙｅｓ）、オブジェクト情報データベース２０６ｃに記憶されたヒトオブジェクトに関するオブジェクト情報に基づいて、ステップＳＢ−５にて動線生成部２０２ｅの処理により生成された動線（または、ステップＳＢ−９にて動線最適化部２０２ｋの処理により最適化された動線）上でのヒトオブジェクトの移動をシミュレーションする（ステップＳＢ−１５）。ステップＳＢ−１５において、解析部２０２ｉは、作業者の特徴を示す作業者条件に基づいてヒトオブジェクトを変化させた状態で、動線上でのヒトオブジェクトの移動をシミュレーションする。
【０１０３】
続いて、ステップＳＢ−１０の処理に移行し、画面生成部２０２ｆは、ステップＳＢ−１５にて解析部２０２ｉの処理によりシミュレーションされたヒトオブジェクトの移動を表す表示制御信号を含むレイアウト画面を生成する。この表示制御信号は、このレイアウト画面が端末装置１００へ送信された後、端末装置１００側で、ヒトオブジェクトの移動に関するシミュレーション結果を表示させるように制御する際に用いられる信号である。また、ステップＳＢ−１０において、画面生成部２０２ｆは、図５の画面右側中央部に示すように、各種作業者条件（図５において、「身長：１７０ｃｍ」、「体重：６０ｋｇ」、「携帯重量：１５ｋｇ」、「サイズ：４５ｃｍ×３０ｃｍ×１０ｃｍ」等の作業者条件）を更に含むレイアウト画面を生成する。そして、ステップＳＢ−１１の処理へ移行し、画面表示制御部２０２ｇは、表示制御信号および作業者条件を更に含むレイアウト画面を端末装置１００へ送信して、表示部１１４に表示させるように制御する。
【０１０４】
ここで、サーバ装置２００側のステップＳＢ−１４にて制御部１０２の処理により作業者条件の受信がないと判定された場合（ステップＳＢ−１４：Ｎｏ）は、上述のステップＳＢ−１５の処理を実行せずに（すなわち、ヒトオブジェクトの移動解析を実行せずに）、この処理を終了する。
【０１０５】
再び、端末装置１００側のステップＳＢ−１３に処理へ戻り、制御部１０２の処理により作業者条件の入力がないと判定された場合（ステップＳＢ−１３：Ｎｏ）、端末装置１００の制御部１０２は、利用者の入力に応じて変更があるか否かを判定する（ステップＳＢ−１６）。
【０１０６】
端末装置１００の制御部１０２は、ステップＳＢ−１６での処理により変更があると判定した場合（ステップＳＢ−１６：Ｙｅｓ）、処理をステップＳＢ−１に移行させる。端末装置１００の制御部１０２は、ステップＳＢ−１６にて制御部１０２の処理により変更がないと判定された場合（ステップＳＢ−１６：Ｎｏ）、この処理を終了する。
【０１０７】
以上で、第２の実施形態におけるＢＩＭシステムの処理の一例の説明を終える。
【０１０８】
なお、第２の実施形態にかかるＢＩＭシステム（サーバ主導型）においても、上述の第１の実施形態にかかるＢＩＭシステム（機能分散型）と同様の効果を奏する。また、以上で説明したサーバ装置２００の制御部２０２は、点検条件算出部２０２ｈ、解析部２０２ｉ、注意点抽出部２０２ｊ、動線最適化部２０２ｋを備えない構成であってもよい。また、図８で例示したＢＩＭシステムの処理は、ステップＳＢ−６〜ステップＳＢ−９、ステップＳＢ−１３〜ステップＳＢ−１６等を含まない構成であってもよい。
【０１０９】
［第３の実施形態］
続いて、第３の実施形態について、図９および図１０を参照して以下に説明する。なお、以下の第３の実施形態（スタンドアロン型）の説明では、上述した実施形態と共通する構成、作用、効果については、重複した説明はできるだけ省略する。ここで、図９は、第３の実施形態におけるＢＩＭシステムの構成の一例を示すブロック図であり、該構成のうち本実施形態に関係する部分を概念的に示している。ここで、第３の実施形態におけるＢＩＭシステムは、スタンドアロン型に構成され単独で処理を行うＢＩＭ装置４００により実現される。
【０１１０】
なお、第３の実施形態においては、全ての機能をＢＩＭ装置４００に集約し、当該ＢＩＭ装置４００は、利用者により入力される作成条件に対応する昇降機のＢＩＭパーツを作成し、ＢＩＭパーツを建築物のＢＩＭモデルに組み込んだ状態の昇降機組込建築物に対応する統合ＢＩＭモデルを作成する等の機能を有する。また、ＢＩＭ装置４００は、作成された統合ＢＩＭモデルに基づいて、当該統合ＢＩＭモデルが表す昇降機組込建築物内の点検対象物を点検する作業者の動線を生成する等の機能を有する。そして、ＢＩＭ装置４００は、作成された統合ＢＩＭモデルと、生成された動線とを少なくとも含むレイアウト画面を生成し、当該レイアウト画面を表示部４１４に表示させる等の機能を有する。このように、第３の実施形態は、ＢＩＭ装置４００がスタンドアロン型に構成され単独で処理を行う点がその他の実施形態と異なる。
【０１１１】
［第３の実施形態におけるＢＩＭシステムの構成］
まず、第３の実施形態におけるＢＩＭシステムの構成の一例について、図９を参照して以下に説明する。
【０１１２】
図９に示すように、第３の実施形態のＢＩＭ装置４００は、出力部（表示部４１４および音声出力部４１６）と入力部４１８と制御部４０２と記憶部４０６とを少なくとも備える。これらＢＩＭ装置４００の各部は任意の通信路を介して通信可能に接続されてもよい。ＢＩＭ装置４００は、例えば、ＰＮＤ（Ｐｏｒｔａｂｌｅ  Ｎａｖｉｇａｔｉｏｎ  Ｄｅｖｉｃｅ）等の各種情報処理端末、ノート型のパーソナルコンピュータ等の各種情報処理装置、または、携帯電話やＰＨＳやＰＤＡ等の携帯端末装置等であってもよい。また、ＢＩＭ装置４００は、通信制御インターフェース部（図示せず）を介してネットワークを経由し、外部装置と相互に通信可能に接続されていてもよい。
【０１１３】
図９において、入出力制御インターフェース部４０８、表示部４１４、音声出力部４１６、および、入力部４１８の各機能は、第１の実施形態と同様であるため説明を省略する。また、記憶部４０６の各部（パーツ情報データベース４０６ａ、ＢＩＭモデルデータベース４０６ｂ、オブジェクト情報データベース４０６ｃ、履歴情報データベース４０６ｄ等）についても、サーバ装置２００ではなくＢＩＭ装置４００に備えられている点を除き、各機能が第１の実施形態と同様であるため説明を省略する。
【０１１４】
なお、制御部４０２の各部については、本実施形態のＢＩＭ装置４００がスタンドアロン型であり、制御部４０２が各送信部を備えていない点を除き、各機能は第１の実施形態と基本的に同様である。
【０１１５】
図９において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、作成条件設定部４０２ａ、昇降機モデリング部４０２ｂ、統合モデリング部４０２ｃ、動線生成部４０２ｄ、画面生成部４０２ｅ、画面表示部４０２ｆ、点検条件算出部４０２ｇ、解析部４０２ｈ、注意点抽出部４０２ｉ、動線最適化部４０２ｊを備える。
【０１１６】
なお、第３の実施形態における制御部４０２のうち、動線生成部４０２ｄ、画面生成部４０２ｅ、画面表示部４０２ｆ、点検条件算出部４０２ｇ、解析部４０２ｈ、注意点抽出部４０２ｉ、動線最適化部４０２ｊについては、上述の第１の実施形態において説明した対応する各部の機能と実質的に同様であるため、これらの説明を省略する。
【０１１７】
このうち、作成条件設定部４０２ａは、利用者により入力される作成条件を設定する作成条件設定手段である。ここで、作成条件は、利用者により入力部４１８を介して入力されたものであってもよいし、予め作成条件が記憶された外部記憶装置（図示せず）から読み込まれたものであってもよい。
【０１１８】
また、昇降機モデリング部４０２ｂは、作成条件設定部４０２ａにより設定された作成条件に対応する昇降機のＢＩＭパーツを、パーツ情報データベース４０６ａに記憶されたパーツ情報を用いて作成する昇降機モデリング手段である。昇降機モデリング部４０２ｂは、例えば、図３に示すようなエレベータの３次元のＢＩＭパーツを作成する。ここで、昇降機モデリング部４０２ｂは、作成した昇降機のＢＩＭパーツを記憶部４０６に格納して、ＢＩＭパーツデータベース（図示せず）を構築してもよい。
【０１１９】
また、統合モデリング部４０２ｃは、昇降機モデリング部４０２ｂにより作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する統合モデリング手段である。ここで、統合モデリング部４０２ｃは、作成した統合ＢＩＭモデルを記憶部４０６に格納して、統合ＢＩＭモデルデータベース（図示せず）を構築してもよい。
【０１２０】
以上で、第３の実施形態におけるＢＩＭシステムの構成の一例の説明を終える。
【０１２１】
［第３の実施形態におけるＢＩＭシステムの処理］
次に、このように構成された第３の実施形態におけるＢＩＭシステムの処理の一例について、以下に図１０を参照して詳細に説明する。図１０は、第３の実施形態におけるＢＩＭシステムの処理の一例を示すフローチャートである。
【０１２２】
図１０に示すように、まず、作成条件設定部４０２ａは、利用者により入力される作成条件を設定する（ステップＳＣ−１）。
【０１２３】
そして、昇降機モデリング部４０２ｂは、ステップＳＣ−１にて作成条件設定部４０２ａの処理により設定された作成条件に対応する昇降機のＢＩＭパーツを、パーツ情報データベース４０６ａに記憶されたパーツ情報を用いて作成する（ステップＳＣ−２）。例えば、昇降機モデリング部４０２ｂは、上述の図３に示すようなエレベータのＢＩＭパーツを作成する。ここで、ステップＳＣ−２において、昇降機モデリング部４０２ｂは、作成条件を満たす複数の昇降機のＢＩＭパーツを作成してもよい。
【０１２４】
そして、統合モデリング部４０２ｃは、ステップＳＣ−２にて昇降機モデリング部４０２ｂの処理により作成された昇降機のＢＩＭパーツを、ＢＩＭモデルデータベース４０６ｂに記憶された建築物のＢＩＭモデルに組み込んだ状態の昇降機組込建築物に対応する統合ＢＩＭモデルを作成する（ステップＳＣ−３）。例えば、統合モデリング部４０２ｃは、図４に示すような、エレベータのＢＩＭパーツが建築物のＢＩＭモデルに組み込まれた状態の昇降機組込建築物に対応する統合ＢＩＭモデルを作成する。
【０１２５】
そして、動線生成部４０２ｄは、ステップＳＣ−３にて統合モデリング部４０２ｃの処理により作成された統合ＢＩＭモデルに基づいて、当該統合ＢＩＭモデルが表す昇降機組込建築物内の点検対象物を点検する作業者の動線を生成する（ステップＳＣ−４）。例えば、動線生成部４０２ｄは、図５の画面左側に示すような統合ＢＩＭモデル内で指定された点検口から点検対象物まで作業者が移動可能な動線を生成する。ステップＳＣ−４において、動線生成部４０２ｄは、動線の候補を単数、又は、複数で生成することもできる。
【０１２６】
そして、点検条件算出部４０２ｇは、ステップＳＣ−３にて統合モデリング部４０２ｃの処理により作成された統合ＢＩＭモデル、および、ステップＳＣ−４にて動線生成部４０２ｄの処理により生成された動線のうち少なくとも１つに基づいて、点検条件を算出する（ステップＳＣ−５）。例えば、点検条件算出部４０２ｇは、図５の画面右側下部に示すような各種点検条件（図５において、「高低差：１０ｍ」、「総工程：１８ｍ」、「最小幅：２５ｃｍ」、「温度：２０℃」、「湿度：７０％」等の点検条件）を生成する。
【０１２７】
そして、ＢＩＭ装置４００の制御部４０２は、履歴情報データベース４０６ｄに記憶された履歴情報を検索して、ステップＳＣ−３にて統合モデリング部４０２ｃの処理により作成された統合ＢＩＭモデルと類似する類似物件があるか否かを判定することで、対応する履歴情報があるか否かを判定する（ステップＳＣ−６）。
【０１２８】
そして、注意点抽出部４０２ｉは、ステップＳＣ−６にて制御部４０２の処理により対応する履歴情報があると判定された場合（ステップＳＣ−６：Ｙｅｓ）、検索した対応する履歴情報に基づいて、過去に作成された統合ＢＩＭモデル内の動線に関する注意点を示す注意情報を抽出する（ステップＳＣ−７）。例えば、注意点抽出部４０２ｉは、図５の画面右側上部に示すような各種注意情報（図５において、「最小幅２５ｃｍの箇所あり」、「点検対象物は梯子上部の右手側」、「湿度はやや高め」等の注意点を示す注意情報）を生成する。
【０１２９】
そして、動線最適化部４０２ｊは、ステップＳＣ−７にて注意点抽出部４０２ｉの処理により抽出された注意情報に基づいて、ステップＳＣ−４にて動線生成部４０２ｄの処理により生成された動線を最適化する（ステップＳＣ−８）。例えば、動線最適化部４０２ｊは、ステップＳＣ−４にて動線生成部４０２ｄの処理により生成された複数の動線の候補から、ステップＳＣ−７にて注意点抽出部４０２ｉの処理により抽出された注意情報（例えば、「最小幅２５ｃｍの箇所あり」）が示す注意点を回避可能な、経路幅が広い動線を選択することで、ステップＳＣ−４にて動線生成部４０２ｄの処理により生成された動線を最適化する。その後、ステップＳＣ−９の処理へ移行する。
【０１３０】
ここで、ステップＳＣ−６にて制御部４０２の処理により対応する履歴情報がないと判定された場合（ステップＳＣ−６：Ｎｏ）は、上述のステップＳＣ−７およびステップＳＣ−８の処理を実行せずに（すなわち、注意情報の抽出、動線の最適化を実行せずに）、ステップＳＣ−９の処理へ移行する。
【０１３１】
そして、画面生成部４０２ｅは、ステップＳＣ−６にて対応する履歴情報があると判定されて（ステップＳＣ−６：Ｙｅｓ）、ステップＳＣ−７にて注意情報を抽出し、ステップＳＣ−８にて動線の最適化を実行した場合は、以下に示すようなレイアウト画面を生成する（ステップＳＣ−９）。この場合、画面生成部４０２ｅは、ステップＳＣ−３にて統合モデリング部４０２ｃの処理より作成された統合ＢＩＭモデルと、ステップＳＣ−５にて点検条件算出部４０２ｇの処理に算出された点検条件と、ステップＳＣ−７にて注意点抽出部４０２ｉの処理にて抽出された動線に関する注意点を示す注意情報と、ステップＳＣ−８にて動線最適化部４０２ｊの処理により最適化された動線と、を含むレイアウト画面を生成する。その後、ステップＳＣ−１０の処理へ移行する。
【０１３２】
また、ステップＳＣ−６において、画面生成部４０２ｅは、ステップＳＣ−６にて対応する履歴情報がないと判定されて（ステップＳＣ−６：Ｎｏ）、ステップＳＣ−７にて注意情報を抽出せず、ステップＳＣ−８にて動線の最適化を実行しなかった場合は、以下に示すようなレイアウト画面を生成する。この場合、画面生成部４０２ｅは、ステップＳＣ−３にて統合モデリング部４０２ｃの処理より作成された統合ＢＩＭモデルと、ステップＳＣ−４にて動線生成部４０２ｄの処理により生成された動線と、ステップＳＣ−５にて点検条件算出部４０２ｇの処理に算出された点検条件とを含むレイアウト画面を生成する。その後、ステップＳＣ−１０の処理へ移行する。
【０１３３】
そして、画面表示部４０２ｆは、ステップＳＣ−９にて画面生成部４０２ｅの処理により生成されたレイアウト画面を表示部４１４に表示させる（ステップＳＣ−１０）。
【０１３４】
そして、ＢＩＭ装置４００の制御部４０２は、ヒトオブジェクトの移動解析を行う際に参照される、点検対象物を点検する作業者の特徴を示す作業者条件の入力があるか否かを判定する（ステップＳＣ−１１）。ここで、作業者条件は、例えば入力部４１８を介して利用者により入力される。
【０１３５】
そして、解析部４０２ｈは、ステップＳＣ−１１にて制御部４０２の処理により作業者条件の入力があると判定された場合（ステップＳＣ−１１：Ｙｅｓ）、ステップＳＣ−１０にて画面表示部４０２ｆの処理により表示されたレイアウト画面上で、オブジェクト情報データベース４０６ｃに記憶されたヒトオブジェクトに関するオブジェクト情報に基づいて、ステップＳＣ−４にて動線生成部４０２ｄの処理により生成された動線（または、ステップＳＣ−８にて動線最適化部４０２ｊの処理により最適化された動線）上でのヒトオブジェクトの移動をシミュレーションする（ステップＳＣ−１２）。ステップＳＣ−１２において、解析部４０２ｈは、作業者の特徴を示す作業者条件に基づいてヒトオブジェクトを変化させた状態で、動線上でのヒトオブジェクトの移動をシミュレーションする。
【０１３６】
本実施形態において、ステップＳＣ−１２にて解析部４０２ｈの処理によりヒトオブジェクトの移動解析を行った場合、更に、ステップＳＣ−１２において、画面生成部４０２ｅは、図５の画面右側中央部に示すように、各種作業者条件（図５において、「身長：１７０ｃｍ」、「体重：６０ｋｇ」、「携帯重量：１５ｋｇ」、「サイズ：４５ｃｍ×３０ｃｍ×１０ｃｍ」等の作業者条件）を更に含むレイアウト画面を生成する。そして、ステップＳＣ−１２において、画面表示部４０２ｆは、作業者条件を更に含むレイアウト画面を表示部４１４に表示させるものとする。その後、ステップＳＣ−１３の処理へ移行する。
【０１３７】
ここで、ステップＳＣ−１１にて制御部４０２の処理により作業者条件の入力がないと判定された場合（ステップＳＣ−１１：Ｎｏ）は、上述のステップＳＣ−１２の処理を実行せずに（すなわち、ヒトオブジェクトの移動解析を実行せずに）、ステップＳＣ−１３の処理へ移行する。
【０１３８】
そして、ＢＩＭ装置４００の制御部４０２は、利用者の入力に応じて変更があるか否かを判定する（ステップＳＣ−１３）。
【０１３９】
ＢＩＭ装置４００の制御部４０２は、ステップＳＣ−１３での処理により変更があると判定した場合（ステップＳＣ−１３：Ｙｅｓ）、処理をステップＳＣ−１に移行させる。ＢＩＭ装置４００の制御部４０２は、ステップＳＣ−１３での処理により変更がないと判定された場合（ステップＳＣ−１３：Ｎｏ）、この処理を終了する。
【０１４０】
以上で、第３の実施形態におけるＢＩＭシステムの処理の一例の説明を終える。
【０１４１】
なお、第３の実施形態にかかるＢＩＭシステム（スタンドアロン型）においても、上述の第１の実施形態にかかるＢＩＭシステム（機能分散型）と同様の効果を奏する。また、以上で説明したＢＩＭ装置４００の制御部４０２は、点検条件算出部４０２ｇ、解析部４０２ｈ、注意点抽出部４０２ｉ、動線最適化部４０２ｊを備えない構成であってもよい。また、図１０で例示したＢＩＭ装置４００の処理は、ステップＳＣ−５〜ステップＳＣ−８、ステップＳＣ−１１〜ステップＳＣ−１３等を含まない構成であってもよい。
【０１４２】
このように、上述した第１〜第３の実施形態によれば、利用者により入力される作成条件に対応するＢＩＭパーツを、パーツ情報を用いて作成し、作成されたＢＩＭパーツをＢＩＭモデルに組み込んだ統合ＢＩＭモデルを作成する。そして、第１〜第３の実施形態によれば、作成された統合ＢＩＭモデルを少なくとも含むレイアウト画面を生成し、生成されたレイアウト画面を表示させる。よって、第１〜第３の実施形態によれば、利用者が昇降機の設備計画を提案する際、建築物に昇降機を組み込んだ状態を視覚的に分かりやすく表示することができる。また、利用者は、昇降機を設置する建築物の設計段階から施工、竣工後、リニューアル（改修）時等の全体を通したシミュレーションを行うことができる。これにより、利用者は、昇降機を設置する建築物の設計において、全体的な管理及び確認を行えるので、客先の要望をより良く反映した提案が容易となる。その結果、本実施形態によれば、利用者は、打合せ時間の短縮ができ、不具合発生率の低減もでき、更に、再製作時等のコストを抑制することができる。
【０１４３】
［他の実施の形態］
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１４４】
例えば、上述の実施形態は、昇降機としてエレベータの例について説明したが、エスカレータ、動く歩道等の乗客コンベアについても同様に適用できる。
【０１４５】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４６】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４７】
また、端末装置１００、サーバ装置２００、及び、ＢＩＭ装置４００に関して、図示の各構成要素は機能概念的なものであり、必ずしも物理的に図示の如く構成されていることを要しない。
【０１４８】
例えば、端末装置１００、サーバ装置２００、及び、ＢＩＭ装置４００の各装置が備える処理機能、特に制御部１０２、制御部２０２、及び、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）及び当該ＣＰＵにて解釈実行されるプログラムにて実現してもよく、また、ワイヤードロジックによるハードウェアとして実現してもよい。尚、プログラムは、後述する記録媒体に記録されており、必要に応じて端末装置１００、サーバ装置２００、及び、ＢＩＭ装置４００に機械的に読み取られる。すなわち、ＲＯＭまたはＨＤＤなどの記憶部１０６、記憶部２０６、及び、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４９】
また、このコンピュータプログラムは、端末装置１００、サーバ装置２００、及び、ＢＩＭ装置４００に対して任意のネットワーク３００を介して接続されたアプリケーションプログラムサーバに記憶されていてもよく、必要に応じてその全部または一部をダウンロードすることも可能である。
【０１５０】
また、プログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ、ＣＤ−ＲＯＭ、ＭＯ、ＤＶＤ、及び、Ｂｌｕ−ｒａｙ  Ｄｉｓｃ等の任意の「可搬用の物理媒体」を含むものとする。
【０１５１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１５２】
記憶部１０６、記憶部２０６、及び、記憶部４０６に格納される各種のデータベース等（例えば、ＢＩＭモデルデータベース１０６ａ、オブジェクト情報データベース１０６ｂ、履歴情報データベース１０６ｃ、パーツ情報データベース２０６ａ、ＢＩＭモデルファイル２０６ｂ、オブジェクト情報データベース２０６ｃ、履歴情報データベース２０６ｄ、パーツ情報データベース４０６ａ、ＢＩＭモデルデータベース４０６ｂ、オブジェクト情報データベース４０６ｃ、履歴情報データベース４０６ｄ等）は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【０１５３】
また、端末装置１００、サーバ装置２００、及び、ＢＩＭ装置４００は、既知のパーソナルコンピュータ、ワークステーション等の情報処理装置として構成してもよく、また、該情報処理装置に任意の周辺装置を接続して構成してもよい。また、端末装置１００、サーバ装置２００、及び、ＢＩＭ装置４００は、該情報処理装置に本実施形態の方法を実現させるソフトウェア（プログラム、データ等を含む）を実装することにより実現してもよい。
【０１５４】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【０１５５】
以上で説明した実施形態、変形例に係るＢＩＭシステム、サーバ装置、端末装置、方法及びプログラムによれば、昇降機の設備計画を提案する際、建築物に昇降機を組み込んだ状態を視覚的に分かりやすく表示することができる。
【０１５６】
［付記］
実施形態のサーバ装置は、表示部を少なくとも備えた端末装置に通信可能に接続された、制御部と記憶部とを少なくとも備えたサーバ装置であって、前記記憶部は、建築物のＢＩＭモデルに組込可能な昇降機のＢＩＭパーツを作成するためのパーツ情報を記憶するパーツ情報記憶手段、を備え、前記制御部は、前記端末装置から送信される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを前記端末装置へ送信する情報提供手段と、を備え、前記端末装置において、前記情報提供手段により前記サーバ装置から送信された前記ＢＩＭパーツを前記ＢＩＭモデルに組み込んだ状態の昇降機組込建築物に対応する統合ＢＩＭモデルが作成され、前記統合ＢＩＭモデルに基づいて、当該統合ＢＩＭモデルが表す前記昇降機組込建築内の点検対象物を点検する作業者の動線が生成され、前記統合ＢＩＭモデルと前記動線とを少なくとも含むレイアウト画面が生成され、前記レイアウト画面が前記表示部に表示されることを特徴とする。
【０１５７】
実施形態の端末装置は、サーバ装置に通信可能に接続された、制御部と記憶部と表示部とを少なくとも備えた端末装置であって、前記記憶部は、建築物のＢＩＭモデルを記憶するＢＩＭモデル記憶手段、を備え、前記制御部は、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデルに基づいて、当該統合ＢＩＭモデルが表す前記昇降機組込建築物内の点検対象物を点検する作業者の動線を生成する動線生成手段と、前記統合モデリング手段により作成された前記統合ＢＩＭモデルと、前記動線生成手段により生成された前記動線とを少なくとも含むレイアウト画面を生成する画面生成手段と、前記画面生成手段により生成された前記レイアウト画面を前記表示部に表示させる画面表示手段と、を備えたことを特徴とする。
【０１５８】
実施形態のＢＩＭシステムは、制御部と記憶部とを少なくとも備えたサーバ装置、および、表示部を少なくとも備えた端末装置、を通信可能に接続したＢＩＭシステムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部は、利用者により入力される作成条件に対応する前記ＢＩＭパーツを、前記パーツ情報記憶手段に記憶された前記パーツ情報を用いて作成する昇降機モデリング手段と、前記昇降機モデリング手段により作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリング手段と、前記統合モデリング手段により作成された前記統合ＢＩＭモデルに基づいて、当該統合ＢＩＭモデルが表す前記昇降機組込建築物内の点検対象物を点検する作業者の動線を生成する動線生成手段と、前記統合モデリング手段により作成された前記統合ＢＩＭモデルと、前記動線生成手段により生成された前記動線とを少なくとも含むレイアウト画面を生成する画面生成手段と、前記画面生成手段により生成された前記レイアウト画面を前記端末装置へ送信して、当該レイアウト画面を前記表示部に表示させるように制御する画面表示制御手段と、を備えたことを特徴とする。
【０１５９】
実施形態の方法は、制御部と記憶部と表示部を少なくとも備えたＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記統合モデリングステップにて作成された前記統合ＢＩＭモデルと、前記動線生成ステップにて生成された前記動線とを少なくとも含むレイアウト画面を生成する画面生成ステップと、前記画面生成ステップにて生成された前記レイアウト画面を前記表示部に表示させる画面表示ステップと、を含むことを特徴とする。
【０１６０】
実施形態の方法は、表示部を少なくとも備えた端末装置に通信可能に接続された、制御部と記憶部とを少なくとも備えたサーバ装置において実行される方法であって、前記記憶部は、建築物のＢＩＭモデルに組込可能な昇降機のＢＩＭパーツを作成するためのパーツ情報を記憶するパーツ情報記憶手段、を備え、前記制御部において実行される、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を含み、前記端末装置において、前記情報提供ステップにて前記サーバ装置から送信された前記ＢＩＭパーツを前記ＢＩＭモデルに組み込んだ状態の昇降機組込建築物に対応する統合ＢＩＭモデルが作成され、前記統合ＢＩＭモデルに基づいて、当該統合ＢＩＭモデルが表す前記昇降機組込建築物内の点検対象物を点検する作業者の動線が生成され、前記統合ＢＩＭモデルと前記動線とを少なくとも含むレイアウト画面が生成され、前記レイアウト画面が前記表示部に表示されることを特徴とする。
【０１６１】
実施形態の方法は、サーバ装置に通信可能に接続された、制御部と記憶部と表示部とを少なくとも備えた端末装置において実行される方法であって、前記記憶部は、建築物のＢＩＭモデルを記憶するＢＩＭモデル記憶手段、を備え、前記制御部において実行される、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記統合モデリングステップにて作成された前記統合ＢＩＭモデルと、前記動線生成ステップにて生成された前記動線とを少なくとも含むレイアウト画面を生成する画面生成ステップと、前記画面生成ステップにて生成された前記レイアウト画面を前記表示部に表示させる画面表示ステップと、を含むことを特徴とする。
【０１６２】
実施形態の方法は、制御部と記憶部とを少なくとも備えたサーバ装置、および、表示部を少なくとも備えた端末装置、を通信可能に接続したＢＩＭシステムにおいて実行される方法であって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において実行される、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記統合モデリングステップにて作成された前記統合ＢＩＭモデルと、前記動線生成ステップにて生成された前記動線とを少なくとも含むレイアウト画面を生成する画面生成ステップと、前記画面生成ステップにて生成された前記レイアウト画面を前記端末装置へ送信して、当該レイアウト画面を前記表示部に表示させるように制御する画面表示制御ステップと、を含むことを特徴とする。
【０１６３】
実施形態のプログラムは、制御部と記憶部と表示部を少なくとも備えたＢＩＭシステムに実行させるためのプログラムであって、前記記憶部は、建築物のＢＩＭモデルを記憶するＢＩＭモデル記憶手段と、前記ＢＩＭモデルに組込可能な昇降機のＢＩＭパーツを作成するためのパーツ情報を記憶するパーツ情報記憶手段と、を備え、前記制御部において、利用者により入力される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記統合モデリングステップにて作成された前記統合ＢＩＭモデルと、前記動線生成ステップにて生成された前記動線とを少なくとも含むレイアウト画面を生成する画面生成ステップと、前記画面生成ステップにて生成された前記レイアウト画面を前記表示部に表示させる画面表示ステップと、を実行させることを特徴とする。
【０１６４】
実施形態のプログラムは、表示部を少なくとも備えた端末装置に通信可能に接続された、制御部と記憶部とを少なくとも備えたサーバ装置に実行させるためのプログラムであって、前記記憶部は、建築物のＢＩＭモデルに組込可能な昇降機のＢＩＭパーツを作成するためのパーツ情報を記憶するパーツ情報記憶手段、を備え、前記制御部において、前記端末装置から送信される作成条件に対応する前記ＢＩＭパーツを、前記パーツ情報記憶手段に記憶された前記パーツ情報を用いて作成する昇降機モデリングステップと、前記昇降機モデリングステップにて作成された前記ＢＩＭパーツを前記端末装置へ送信する情報提供ステップと、を実行させ、前記端末装置において、前記情報提供ステップにて前記サーバ装置から送信された前記ＢＩＭパーツを前記ＢＩＭモデルに組み込んだ状態の昇降機組込建築物に対応する統合ＢＩＭモデルが作成され、前記統合ＢＩＭモデルに基づいて、当該統合ＢＩＭモデルが表す前記昇降機組込建築物内の点検対象物を点検する作業者の動線が生成され、前記統合ＢＩＭモデルと前記動線とを少なくとも含むレイアウト画面が生成され、前記レイアウト画面が前記表示部に表示されることを特徴とする。
【０１６５】
実施形態のプログラムは、サーバ装置に通信可能に接続された、制御部と記憶部と表示部とを少なくとも備えた端末装置に実行させるためのプログラムであって、前記記憶部は、建築物のＢＩＭモデルを記憶するＢＩＭモデル記憶手段、を備え、前記制御部において、前記サーバ装置において昇降機のＢＩＭパーツを作成するためのパーツ情報を用いて作成される、前記端末装置から送信された作成条件に対応する前記ＢＩＭパーツを、前記サーバ装置から受信し、当該ＢＩＭパーツを、前記ＢＩＭモデル記憶手段に記憶された前記ＢＩＭモデルに組み込んだ状態の昇降機組込建築物に対応する統合ＢＩＭモデルを作成する統合モデリングステップと、前記統合モデリングステップにて作成された前記統合ＢＩＭモデルに基づいて、当該統合ＢＩＭモデルが表す前記昇降機組込建築物内の点検対象物を点検する作業者の動線を生成する動線生成ステップと、前記統合モデリングステップにて作成された前記統合ＢＩＭモデルと、前記動線生成ステップにて生成された前記動線とを少なくとも含むレイアウト画面を生成する画面生成ステップと、前記画面生成ステップにて生成された前記レイアウト画面を前記表示部に表示させる画面表示ステップと、を実行させることを特徴とする。
【符号の説明】
【０１６６】
１００  端末装置
１０２  制御部
１０２ａ  作成条件送信部
１０２ｂ  統合モデリング部
１０２ｃ  動線生成部
１０２ｄ  画面生成部
１０２ｅ  画面表示部
１０２ｆ  点検条件算出部
１０２ｇ  解析部
１０２ｈ  注意点抽出部
１０２ｉ  動線最適化部
１０４  通信制御インターフェース部
１０６  記憶部
１０６ａ  ＢＩＭモデルデータベース
１０６ｂ  オブジェクト情報データベース
１０６ｃ  履歴情報データベース
１０８  入出力制御インターフェース部
１１４  表示部
１１６  音声出力部
１１８  入力部
２００  サーバ装置
２０２  制御部
２０２ａ  作成条件受信部
２０２ｂ  昇降機モデリング部
２０２ｃ  情報提供部
２０２ｄ  統合モデリング部
２０２ｅ  動線生成部
２０２ｆ  画面生成部
２０２ｇ  画面表示制御部
２０２ｈ  点検条件算出部
２０２ｉ  解析部
２０２ｊ  注意点抽出部
２０２ｋ  動線最適化部
２０４  通信制御インターフェース部
２０６  記憶部
２０６ａ  パーツ情報データベース
２０６ｂ  ＢＩＭモデルファイル
２０６ｃ  オブジェクト情報データベース
２０６ｄ  履歴情報データベース
３００  ネットワーク
４００  ＢＩＭ装置（ＢＩＭシステム）
４０２  制御部
４０２ａ  作成条件設定部
４０２ｂ  昇降機モデリング部
４０２ｃ  統合モデリング部
４０２ｄ  動線生成部
４０２ｅ  画面生成部
４０２ｆ  画面表示部
４０２ｇ  点検条件算出部
４０２ｈ  解析部
４０２ｉ  注意点抽出部
４０２ｊ  動線最適化部
４０６  記憶部
４０６ａ  パーツ情報データベース
４０６ｂ  ＢＩＭモデルデータベース
４０６ｃ  オブジェクト情報データベース
４０６ｄ  履歴情報データベース
４０８  入出力制御インターフェース部
４１４  表示部
４１６  音声出力部
４１８  入力部
【図２】
0005623573.tif 000002
【図３】
0005623573.tif 000003
【図４】
0005623573.tif 000004
【図５】
0005623573.tif 000005
【図６】
0005623573.tif 000006
【図７】
0005623573.tif 000007
【図８】
0005623573.tif 000008
【図９】
0005623573.tif 000009
【図１０】
0005623573.tif 000010
【図１】
0005623573.tif 000011